(57)【要約】  積層体の外面である第１の面及び第２の面を有する第１の層と、第２の面に面する第３の面及び第３の面に対向し且つ積層体の内面である第４の面を有する第２の層と、層の間の中間レイヤと、層の面の少なくとも一部上に位置付けられる改良Ｐ偏光反射性コーティングとを含む積層体である。積層体が、積層体の法線に対して６０°の角度で、Ｐ偏光放射線を有する放射線と接触する場合、積層体は、少なくとも７０％のＬＴＡ及び、少なくとも１０％のＰ偏光放射線の反射率を示す。ディスプレイシステム及び、ヘッドアップディスプレイ内の画像を投影する方法も開示される。
2020532763.tif 000002
【特許請求の範囲】
【請求項１】
画像を投影するディスプレイシステムであって、
改良されたＰ偏光放射線反射性を有する積層体であって、
前記積層体の外面を備える第１の面及び前記第１の面に対向する第２の面を備える第１の層、
前記第２の面に隣接する第３の面及び前記第３の面に対向し且つ前記積層体の内面を備える第４の面を備える第２の層、
前記第１の層と前記第２の層との間に位置付けられる中間レイヤ、並びに
前記第１の層及び／又は前記第２の層の面の少なくとも１つにおける少なくとも一部上に位置付けられる改良Ｐ偏光反射性コーティングであって、
前記面の少なくとも１つの一部上に位置付けられるベースレイヤ、
前記ベースレイヤの少なくとも一部上に位置付けられる第１金属機能レイヤ、
前記第１金属機能レイヤの少なくとも一部上に位置付けられる第１位相調節レイヤ、
前記第１位相調節レイヤの少なくとも一部上に位置付けられる第２金属機能レイヤ、
前記第２金属機能レイヤの少なくとも一部上に位置付けられるトップコートレイヤ、及び
前記トップコートレイヤの少なくとも一部上に位置付けられるオーバーコートを備える改良Ｐ偏光反射性コーティングを備え、
前記積層体が、前記積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも１０％のＰ偏光放射線の反射率を示す前記積層体と、
Ｐ偏光放射線を備える放射線を放射する、前記積層体に向けられた放射線源とを備える、ディスプレイシステム。
【請求項２】
前記光源と前記積層体との間に位置付けられ、Ｐ偏光放射線の少なくとも一部を通過させるように構成される偏光フィルタを更に備える、請求項１に記載のディスプレイシステム。
【請求項３】
放射線が、第１の面‐空気界面のブルースター角に略等しい角度で前記第１の面に接触するように、前記改良Ｐ偏光反射性コーティングが、前記第４の面の少なくとも一部上に位置付けられ、前記積層体に向けられた前記放射線源が、前記積層体に対して角度をもって位置付けられるか、又は、放射線が、空気‐第４の面界面のブルースター角に略等しい角度で前記第４の面に接触するように、前記改良Ｐ偏光反射性コーティングが、前記第１の面の少なくとも一部上に位置付けられ、前記積層体に向けられた前記放射線源が、前記積層体に対して角度をもって位置付けられる、請求項１又は２に記載のディスプレイシステム。
【請求項４】
前記改良Ｐ偏光反射性コーティングが、
前記第２犠牲金属レイヤの少なくとも一部上に位置付けられる第２位相調節レイヤと、
前記第２位相調節レイヤの少なくとも一部上に位置付けられる第３金属機能レイヤと、
前記第３犠牲金属レイヤの少なくとも一部上に位置付けられるトップコートレイヤと、
前記トップコートレイヤの少なくとも一部上に位置付けられるオーバーコートとを更に備える、請求項１〜３のいずれか一項に記載のディスプレイシステム。
【請求項５】
前記第１位相調節レイヤ又は前記第２位相調節レイヤが、
酸化金属膜を備える第１膜と、
前記第１位相調節レイヤ及び／又は前記第２位相調節レイヤの前記第１膜上に位置付けられる第２膜であって、金属合金酸化膜を備える、前記第１位相調節レイヤ及び／又は前記第２位相調節レイヤの第２膜と、
前記第１位相調節レイヤ及び／又は前記第２位相調節レイヤの第２膜上に位置付けられる第３膜であって、酸化金属膜を備える、前記第１位相調節レイヤ及び／又は前記第２位相調節レイヤの第３膜とを備える、請求項１〜４のいずれか一項に記載のシステム。
【請求項６】
前記ベースレイヤが、３５０〜５００オングストロームの厚さを有し、
前記第１位相調節レイヤが、６７５〜１，０５０オングストロームの範囲内の厚さを有し、
前記第２位相調節レイヤが、６００〜８５０オングストロームの範囲内の厚さを有し、
前記第１金属機能レイヤが、５０〜１５０オングストロームの範囲内の厚さを有し、
前記第２金属機能レイヤが、５０〜１２５オングストロームの範囲内の厚さを有する、請求項１〜５のいずれか一項に記載のシステム。
【請求項７】
前記第１金属機能レイヤ及び前記第２金属機能レイヤが、５０〜１５０オングストロームの範囲内の組み合わせられた厚さを有する、請求項１〜６のいずれか一項に記載のシステム。
【請求項８】
前記第１金属機能レイヤ又は前記第２金属機能レイヤが銀を備え、前記システムが他の金属機能レイヤを一切含まない、請求項１〜７のいずれか一項に記載のシステム。
【請求項９】
前記第１金属機能レイヤ、前記第２金属機能レイヤ及び前記第３金属機能レイヤが、２５０〜２７５オングストロームの範囲内の組み合わせられた厚さを有する、請求項１〜８のいずれか一項に記載のシステム。
【請求項１０】
前記ベースレイヤ、前記第１位相調節レイヤ及び前記トップコートが、１６００〜１８５０オングストロームの範囲内の組み合わせられた厚さを有する、請求項１〜９のいずれか一項に記載のシステム。
【請求項１１】
前記改良Ｐ偏光反射性コーティングが、前記第１金属機能レイヤと前記第１位相調節レイヤとの間に位置付けられる第１犠牲レイヤを更に備える、請求項１〜１０のいずれか一項に記載のシステム。
【請求項１２】
前記改良Ｐ偏光反射性コーティングが、前記第２金属機能レイヤと前記トップコートレイヤとの間に位置付けられる第２犠牲レイヤを更に備える、請求項１〜１１のいずれか一項に記載のシステム。
【請求項１３】
前記第１位相調節レイヤ及び前記第２位相調節レイヤが、１４５０〜１５７５の範囲内の組み合わせられた厚さを有する、請求項１〜１２のいずれか一項に記載のシステム。
【請求項１４】
前記改良Ｐ偏光反射性コーティングが、前記第３金属機能レイヤの少なくとも一部上に位置付けられる第３犠牲金属レイヤを更に備える、請求項１〜１３のいずれか一項に記載のシステム。
【請求項１５】
前記第１金属機能レイヤと前記第１位相調節レイヤとの間で、前記第１金属機能レイヤの少なくとも一部上に位置付けられる第１犠牲接触レイヤと、
前記第２金属機能レイヤと前記トップコートレイヤとの間で、前記第２金属機能レイヤ上に位置付けられる第２金属機能レイヤとを更に備える、請求項１〜１４のいずれか一項に記載のシステム。
【発明の詳細な説明】
【技術分野】
【０００１】
関連出願の相互参照
本願は、２０１８年８月２４日に出願された米国特許出願第１６／１１１，４９６号明細書、及び２０１７年８月３１日に出願された米国仮特許出願第６２／５５２，４６７号明細書に対する優先権及び完全な利益を主張するものであり、これらの開示は参照によって本明細書に組み込まれる。
【０００２】
本発明は、改良されたＰ偏光放射線反射性を有する積層体、画像を投影するディスプレイシステム、及びヘッドアップディスプレイ内の画像を投影する方法に関する。
【背景技術】
【０００３】
従来の自動車ヘッドアップディスプレイ（ＨＵＤ）は、ダッシュボード内の電磁放射線源を用いて、運転手の目に反射される光をフロントガラス上に投影して車両データの仮想画像を作り出すことで、運転手が道路から目を離すことなく車両の動作についての情報にアクセスできるようにする。従来の車両で典型的に見られる、フロントガラスに角度をもって反射する電磁放射線及び、発光ダイオード（ＬＥＤ）といった典型的な非偏光光源については、反射光は主に、Ｐ偏光である光よりもはるかに成分が少ないＳ偏光である。極端な例では、電磁放射線のフロントガラスに対する入射の角度が空気‐ガラス界面のブルースター角（約５７°）である場合、Ｐ偏光反射率はゼロパーセントである。
【０００４】
放射線源からの光（主にＳ偏光）は、空気とガラスとの間の屈折率の不一致によって、フロントガラスの最内面及びフロンドガラスの最外面のいずれにも反射する。これによって、２つの反射画像が各面に１つずつ形成される。ＨＵＤ内に形成された複数の画像は「ゴースト発生」と呼ばれる現象であり、「ゴースト」の存在を取り除いたり最小限に抑えたりすることがＨＵＤ技術の目標である。ゴースト発生を解消する従来の方法は、フロントガラスの内側及び外側のガラス積層の間に楔形状のビニルレイヤを使用して、２つのガラス積層の配置を２つの反射画像と並ぶように調節することによる。この楔形状のビニルによって、フロントガラスのコストが上がり、フロントガラスの製造の複雑性も上がる。
【０００５】
また、ガラス積層の少なくとも１つにコーティングを施すことで、フロントガラスに対して太陽光制御、発熱、及び／又はアンテナ機能を設けることも望ましい。この追加のコーティングによって、第３の反射を引き起こす、フロントガラス内の第３の反射率の不一致及びＨＵＤシステム上の第３の反射画像が生じ、これを楔形状のビニルレイヤで相殺するのは困難である。
【０００６】
従来のＨＵＤシステムには、多くの運転手が、運転中の道路や他の原因からの眩しさを軽減させるために偏光サングラスをかけるという事実に起因する他の問題がある。典型的な偏光サングラスは、Ｓ偏光放射線を遮断することによって機能する。Ｐ偏光放射線は偏光サングラスを通過することが可能である。しかしながら、上述したように、従来のＨＵＤシステムでは、ＨＵＤの画像を形成するようにフロントガラスで反射するのは主にＳ偏光放射線であり、フロントガラス表面で反射されるＰ偏光放射線は極めて僅かである。これは特に、フロントガラスが、空気‐ガラス界面のブルースター角に近い角度で典型的に位置付けられている場合に当てはまる。このように、従来の偏光サングラスをかけている運転手は、主にＳ偏光放射線によって形成されたＨＵＤの画像を見ることができない可能性がある。
【０００７】
従って、この技術分野では、システム及び／又は構成要素によってこれらの問題の１つ以上を軽減するか取り除くことが求められている。例えば、偏光サングラスをかけている運転手が視認可能な画像を投影し、且つ／又はゴースト発生を軽減するか取り除くＨＵＤシステムを提供することが望ましいといえるだろう。
【先行技術文献】
【特許文献】
【０００８】
【特許文献１】米国特許第６，２６５，０７６号明細書
【特許文献２】米国特許第６，５７０，７０９号明細書
【発明の概要】
【０００９】
本発明は、改良されたＰ偏光放射線反射性を有する、フロントガラスといった積層体を対象にする。積層体は、積層体の外面である第１の面（Ｎｏ．１面）及び第１の面に対向する第２の面（Ｎｏ．２面）を有する第１の層と、第２の面に面する第３の面（Ｎｏ．３面）及び第３の面に対向し且つ積層体の内面である第４の面（Ｎｏ．４面）を有する第２の層とを含む。中間レイヤが、第１の層と第２の層との間に配置される。本発明の改良Ｐ偏光反射性コーティングが、第１の層及び／又は第２の層の少なくとも１つにおける少なくとも一部上に配置される。積層体が、積層体の法線に対して６０°の角度で、Ｐ偏光放射線を有する、放射線源からの放射線と接触する場合、積層体は、標準光源Ａを用いた値で少なくとも７０％の視感透過率（ＬＴＡ）及び、少なくとも５％、例えば少なくとも１０％のＰ偏光放射線の反射率を示す。
【００１０】
改良Ｐ偏光反射性コーティングは、複数のレイヤを含んでもよい。改良Ｐ偏光反射性コーティングは、第２の面又は第３の面の少なくとも一部上に位置付けられてもよい。改良Ｐ偏光反射性コーティングは、面の少なくとも１つの一部上に位置付けられるベースレイヤと、ベースレイヤの少なくとも一部上に位置付けられる第１金属機能レイヤと、第１金属機能レイヤの少なくとも一部上に位置付けられる第１犠牲金属レイヤと、第１犠牲金属レイヤの少なくとも一部上に位置付けられる第１位相調節レイヤと、第１位相調節レイヤの少なくとも一部上に位置付けられる第２金属機能レイヤと、第２金属機能レイヤの少なくとも一部上に位置付けられる第２犠牲金属レイヤと、第２犠牲金属レイヤの少なくとも一部上に位置付けられるトップコートレイヤと、トップコートレイヤの少なくとも一部上に位置付けられるオーバーコートとを含んでもよい。改良Ｐ偏光反射性コーティングは、第２犠牲金属レイヤの少なくとも一部上に位置付けられる第２位相調節レイヤと、第２位相調節レイヤの少なくとも一部上に位置付けられる第３金属機能レイヤと、第３金属機能レイヤの少なくとも一部上に位置付けられる第３犠牲金属レイヤと、第３犠牲金属レイヤの少なくとも一部上に位置付けられるトップコートレイヤと、トップコートレイヤの少なくとも一部上に位置付けられるオーバーコートとを更に含んでもよい。
【００１１】
ベースレイヤは、金属合金酸化膜を備える第１膜と、ベースレイヤの第１膜上に位置付けられ、酸化膜を含む、ベースレイヤの第２膜とを含んでもよい。ベースレイヤの第１膜は、酸化亜鉛／スズ合金、特にスズ酸亜鉛を含んでもよい。ベースレイヤの第２膜は、酸化金属膜、特に酸化亜鉛を含んでもよい。一例では、ベースレイヤは、３００〜５００オングストローム、好適には３５０〜４３０オングストロームの範囲内の厚さを有してもよい。他の例では、ベースレイヤは、３５０〜５５０オングストローム、好適には４２０〜５００オングストロームの範囲内の厚さを有してもよい。
【００１２】
第１位相調節レイヤ及び／又は第２位相調節レイヤは、酸化膜を含む第１膜と、第１位相調節レイヤ及び／又は第２位相調節レイヤの第１膜上に位置付けられる第２膜であって、金属合金酸化膜を含む、第１位相調節レイヤ及び／又は第２位相調節レイヤの第２膜と、第１位相調節レイヤ及び／又は第２位相調節レイヤの第２膜上に位置付けられる第３膜であって、酸化膜を含む、第１位相調節レイヤ及び／又は第２位相調節レイヤの第３膜とを含んでもよい。第１位相調節レイヤ及び／若しくは第２位相調節レイヤの第１膜並びに／又は第１位相調節レイヤ及び／若しくは第２位相調節レイヤの第３膜は、酸化金属膜、特に酸化亜鉛を含んでもよい。第１位相調節レイヤ及び／又は第２位相調節レイヤの第２膜は、酸化亜鉛／スズ合金、特にスズ酸亜鉛を含んでもよい。一例では、第１位相調節レイヤは、７００〜１，１００オングストローム、好適には８５０〜１，０５０オングストロームの範囲内の厚さを有してもよい。他の例では、第１位相調節レイヤは、６００〜１０００オングストローム、好適には６７５〜８７５オングストロームの範囲内の厚さを有してもよい。第２位相調節レイヤは、５００〜１，０００オングストローム、好適には６００〜８５０オングストロームの範囲内の厚さを有してもよい。
【００１３】
第１金属機能レイヤ、第２金属機能レイヤ、及び／又は第３金属機能レイヤは、少なくとも１つの貴金属又は準貴金属、特に、銀、金、白金、パラジウム、オスミウム、イリジウム、ロジウム、ルテニウム、銅、水銀、レニウム、アルミニウム、及びそれらの組み合わせから選択されるもの、より好適には金属銀を含んでもよい。第１金属機能レイヤは、１０〜２００オングストローム、好適には５０〜１５０オングストロームの範囲内の厚さを有してもよい。第１金属機能レイヤは、１０〜１５０オングストローム、好適には５０〜１１０オングストロームの範囲内の厚さを有してもよい。第２金属機能レイヤは、１０〜１５０オングストローム、好適には５０〜１２５オングストロームの範囲内の厚さを有してもよい。第２金属機能レイヤは、１０〜１００オングストローム、好適には５０〜７５オングストロームの範囲内の厚さを有してもよい。第３金属機能レイヤは、５０〜２００オングストローム、好適には７５〜１５０オングストロームの範囲内の厚さを有してもよい。
【００１４】
第１犠牲金属レイヤ、第２犠牲金属レイヤ及び／又は第３犠牲金属レイヤは、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン及びそれらの組み合わせの少なくとも１つ、好適にはチタンを含んでもよい。第１犠牲金属レイヤ、第２犠牲金属レイヤ及び／又は第３犠牲金属レイヤは、１０〜５０オングストローム、好適には２０〜４０オングストローム、より好適には２５〜３５オングストロームの範囲内の厚さを有してもよい。
【００１５】
トップコートレイヤは、酸化膜を含む第１膜と、トップコートレイヤの第１膜上に位置付けられる第２膜であって、金属合金酸化膜を含む、トップコートレイヤの第２膜とを含んでもよい。トップコートレイヤの第１膜は、酸化金属膜、特に酸化亜鉛を含んでもよい。トップコートレイヤの第２膜は、酸化亜鉛／スズ合金、特にスズ酸亜鉛を含んでもよい。トップコートレイヤは、３００〜４００オングストローム、好適には３４０〜３７５オングストロームの範囲内の厚さを有してもよい。トップコートレイヤは、２７５〜４５０オングストローム、好適には３００〜４１５オングストロームの範囲内の厚さを有してもよい。
【００１６】
オーバーコートは、シリカ・アルミナ組み合わせコーティングを含んでもよい。オーバーコートは、１００〜１，０００オングストローム、好適には６００〜８００オングストロームの範囲内の厚さを有してもよい。
【００１７】
積層体１２は、第１の面又は第４の面の少なくとも一部上に位置付けられる反射防止コーティングを更に含んでもよい。反射防止コーティングは、第１の面又は第４の面の少なくとも一部上に位置付けられてもよい。第１の層及び第２の層は、互いに対して非平行であってもよい。中間レイヤは、楔形状の中間レイヤであってもよい。中間レイヤは、均一な厚さのレイヤであってもよい。中間レイヤは、ポリビニルブチラール（ＰＶＢ）を含んでもよい。積層体は、積層体の法線に対して６０°の角度で放射線源からの放射線と接触する場合に、６０％まで、好適には５５％まで、より好適には５２％までの合計反射率を示してもよい。積層体は、自動車用の積層体であってもよい。
【００１８】
また、本発明は、改良されたＰ偏光放射線反射性を有する積層体を含む、画像を投影するディスプレイシステムにも向けられる。積層体は、積層体の外面である第１の面及び第１の面に対向する第２の面を有する第１の層と、第２の面に面する第３の面及び第３の面に対向し且つ積層体の内面である第４の面を有する第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを含む。積層体が、積層体の法線に対して６０°の角度で、Ｐ偏光放射線を有する、放射線源からの放射線と接触する場合に、積層体は、標準光源Ａを用いた値で少なくとも７０％の視感透過率（ＬＴＡ）及び、少なくとも１０％のＰ偏光放射線の反射率を示す。また、ディスプレイシステムは、Ｐ偏光放射線を有する放射線を放射する、積層体に向けられた放射線源も含む。
【００１９】
システムは、放射線源と積層体との間に位置付けられ、Ｐ偏光放射線の少なくとも一部を通過させるように構成される偏光フィルタを更に含んでもよい。偏光フィルタは、放射線源から放射されるＳ偏光放射線の少なくとも一部をフィルタリングしてもよい。偏光フィルタは、放射線源から放射されるＳ偏光放射線の略全てをフィルタリングしてもよい。放射線源は、画像が積層体の内側の領域に投影されるように、積層体に向けられた放射線を放射してもよい。画像は、静的画像又は動的画像の少なくとも１つであってもよい。画像は色を含んでもよい。画像は、ヘッドアップディスプレイ内の画像であってもよい。積層体は、自動車用のフロントガラスといった、自動車用の積層体であってもよい。改良Ｐ偏光反射性コーティングは、第２の面又は第３の面の少なくとも一部上に位置付けられてもよい。改良Ｐ偏光反射性コーティングは、第１の面又は第４の面の少なくとも一部上に位置付けられてもよい。放射線が、第１の面‐空気界面のブルースター角に略等しい角度で第１の面に接触するように、改良Ｐ偏光反射性コーティングは、第４の面の少なくとも一部上に位置付けられ、積層体に向けられた放射線源は、積層体に対して角度をもって位置付けられてもよい。
【００２０】
また、本発明は、改良されたＰ偏光放射線反射性を有する積層体を提供することを含む、ヘッドアップディスプレイ内の画像を投影する方法にも向けられる。積層体は、積層体の外面である第１の面及び第１の面に対向する第２の面を有する第１の層と、第２の面に面する第３の面及び第３の面に対向し且つ積層体の内面である第４の面を有する第２の層と、第１の層と第２の層との間に配置される中間レイヤと、第１の層及び／又は第２の層の面の少なくとも１つにおける少なくとも一部上に位置付けられる改良Ｐ偏光反射性コーティングとを含む。積層体が、積層体の法線に対して６０°の角度で、Ｐ偏光放射線を有する、放射線源からの放射線と接触する場合に、積層体は、標準光源Ａを用いた値で少なくとも７０％の視感透過率（ＬＴＡ）及び、少なくとも１０％のＰ偏光放射線の反射率を示す。また、積層体は、積層体の内側の領域に画像が投影されるように、Ｐ偏光放射線を有する放射線を放射する放射線源を積層体に向けることも含む。  
【００２１】
本発明における上記又は他の特徴及び特質、そして操作の方法及び構造の関連要素の機能、並びに部品の組み合わせ及び製造の経済性は、異なる図面において対応する部分を参照符号によって指定するといったように本明細書の一部を形成する全ての添付の図面を参照する、以下の説明及び付随するクレームを熟慮することによって、より明白になるであろう。しかしながら、図面が図示及び説明のためだけのものであり、本発明を限定する説明を意図するようになっていないことは、明確に理解されるべきであろう。明細書及びクレームに使用されているように、「ａ」、「ａｎ」及び「ｔｈｅ」の単数形は、文脈によって明らかに記されていない限り、複数の対象を含む。
【図面の簡単な説明】
【００２２】
【図１】積層体と放射線源とを含むディスプレイシステムの（縮尺通りでない）斜視図である。
【図２Ａ】改良Ｐ偏光反射性コーティングを有する積層体の様々な例のひとつの（縮尺通りでない）側面図である。
【図２Ｂ】改良Ｐ偏光反射性コーティングを有する積層体の様々な例のひとつの（縮尺通りでない）側面図である。
【図２Ｃ】改良Ｐ偏光反射性コーティングを有する積層体の様々な例のひとつの（縮尺通りでない）側面図である。
【図２Ｄ】改良Ｐ偏光反射性コーティングを有する積層体の様々な例のひとつの（縮尺通りでない）側面図である。
【図２Ｅ】改良Ｐ偏光反射性コーティングを有する積層体の様々な例のひとつの（縮尺通りでない）側面図である。
【図２Ｆ】改良Ｐ偏光反射性コーティングを有する積層体の様々な例のひとつの（縮尺通りでない）側面図である。
【図３Ａ】基板上に配置され、２つの金属機能レイヤを含む改良Ｐ偏光反射性コーティングの（縮尺通りでない）側面図である。
【図３Ｂ】基板上に配置され、２つの金属機能レイヤを含む改良Ｐ偏光反射性コーティングの（縮尺通りでない）側面図である。
【図４Ａ】基板上に配置され、３つの金属機能レイヤを含む改良Ｐ偏光反射性コーティングの（縮尺通りでない）側面図である。
【図４Ｂ】基板上に配置され、３つの金属機能レイヤを含む改良Ｐ偏光反射性コーティングの（縮尺通りでない）側面図である。
【図５Ａ】２つの積層を含み且つ楔形状の中間レイヤを有する積層体の（縮尺通りでない）側面図である。
【図５Ｂ】２つの積層を含み且つ連続的な厚さの中間レイヤを有する積層体の（縮尺通りでない）側面図である。
【図６】第４の面上に改良Ｐ偏光反射性コーティングを有する積層体及び、放射線源であって、放射線源からの放射線が、積層体の第１の面に対して、第１の面‐空気界面のブルースター角で接触するように位置付けられた放射線源の（縮尺通りでない）斜視図である。
【図７】放射線源からの放射線が、積層体の法線に対して６０°の角度で積層体に接触する、試験装置の（縮尺通りでない）斜視図である。
【発明を実施するための形態】
【００２３】
以下の説明のために、「端」、「上方」、「下方」、「右」、「左」、「鉛直」、「水平」、「上部」、「下部」、「横方向」、「縦方向」及びこれらの派生語である用語が、図面内で配向されているように本発明に関係するものとする。しかしながら、反対の指定が明確になされていない限り、本発明が、様々な代替的な変更及び工程手順を想定しうるものであることが理解されよう。また、添付の図面に示されたり以下の明細書に記載されたりしている特定の装置及びプロセスが、単に、本発明の例示的な実施例又は態様であることも理解されよう。これにより、本明細書に開示される実施例又は態様に関する特定の寸法及び他の物理的特質が、限定として捉えられることがなくなる。
【００２４】
以下の詳細な説明のために、本発明が、反対の指定がなされていない限り、様々な代替的な変更及び工程手順を想定しうるものであることが理解されよう。また、全ての動作例を除き、又は特に記載がない限り、明細書及びクレームで使用される全ての数字が、「約」という用語によって全ての例において変更されているものと理解されよう。従って、反対の記載がない限り、以下の明細書及び付随するクレームに記載される数値パラメータは、本発明によって得られる所望の特性に応じて変動しうる近似値である。少なくとも、そしてクレームの範囲に対する均等物の原則の適用を限定しようとする試みとしてではなく、各数値パラメータは、少なくとも、報告されている有意な桁数を考慮して且つ通常の丸めの技術を適用することによって解釈されるべきである。
【００２５】
本明細書に記載の全ての数値範囲が、そこに包含される全ての小範囲を含むようになっていることが理解されるべきである。例えば、「１〜１０」の範囲は、記載の最小値である１と記載の最大値である１０との間の（且つそれらを含む）全ての小範囲を含むようになっており、すなわち、１以上の最小値及び１０以下の最大値を有している。
【００２６】
本明細書に記載のコーティングレイヤに関して、「上」という用語は、コーティングレイヤが位置付けられる基板からより離れていることを意味する。例えば、第１レイヤ「上」に位置付けられた第２レイヤは、第２レイヤが第１レイヤと比べて基板からより離れて位置付けられていることを意味する。第２レイヤは、第１レイヤと直接的に接触してもよい。或いは、１つ以上のレイヤが第１レイヤと第２レイヤとの間に位置付けられてもよい。
【００２７】
「膜」という用語は、他と異なる構成を有する領域を意味する。「レイヤ」は、１つ以上の「膜」を含んでもよい。「コーティング」は、１つ以上の「レイヤ」を含んでもよい。
【００２８】
「重合体」又は「重合体的」という用語は、オリゴマ、単独重合体、共重合体及び、例えば２種類以上の単量体又は重合体から形成される重合体である三元共重合体を含む。
【００２９】
「紫外線放射線」という用語は、１００ｎｍ〜３００ｎｍ未満の範囲内の波長を有する電磁放射線を意味する。「可視光放射線」という用語は、３８０ｎｍ〜７８０ｎｍの範囲内の波長を有する電磁放射線を意味する。「赤外線放射線」という用語は、７８０ｎｍより大きい値〜１００，０００ｎｍの範囲内の波長を有する電磁放射線を意味する。「太陽赤外線放射線」という用語は、１，０００ｎｍ〜３，０００ｎｍの範囲内の波長を有する電磁放射線を意味する。「熱赤外線放射線」という用語は、３，０００ｎｍより大きい値〜２０，０００ｎｍの範囲内の波長を有する電磁放射線を意味する。
【００３０】
「金属」及び「酸化金属」という用語は、それぞれシリコン及びシリカを含み、従来ではシリコンが金属として捉えられていないにも関わらず、元来認識されている金属及び酸化金属も含む。
【００３１】
「少なくとも」は、「以上」を意味する。「以下」は、「以下」を意味する。
【００３２】
「含む」という用語は、「備える」と同義である。
【００３３】
「参照積層部」は、Ｎｏ．３面上に改良Ｐ偏光反射性コーティングが施されたＰＶＢの０．７６ｍｍレイヤによって分離される２つの２ｍｍ透明フロートガラスを有する積層体として定義される。「参照積層値」は、図７に示す試験装置を用いて、例えばＬＴＡや反射率等の、積層部について測定される報告値を意味する。
【００３４】
本発明の考察は、所定の特徴について、所定の限定の範囲内において「特に」又は「好適には」として記載することがある（例えば、所定の限定の範囲内において、「好適には」、「より好適には」、又は「更に好適には」）。本発明はこれらの特定の又は好適な限定に限定されておらず、本開示の全範囲を網羅するものであることが理解されよう。
【実施例１】
【００３５】
ディスプレイシステム
図１を参照すると、本発明に係るディスプレイシステム１０が示されている。ディスプレイシステム１０は、自動車又は航空機内のヘッドアップディスプレイといった、車両内のヘッドアップディスプレイ（ＨＵＤ）であってもよい。しかしながら、ディスプレイシステム１０は車両内のヘッドアップディスプレイに限定されず、画像を投影する任意の種類のディスプレイであってもよい。「ディスプレイシステム」として考えられるディスプレイの非限定の例には、広告、プロモーション又は情報のディスプレイ等が含まれる。ディスプレイシステム１０は、人間が視認できる（例えば、可視スペクトル内の）画像を投影してもよい。或いは、ディスプレイシステム１０は、電磁スペクトルの非可視領域内の画像を投影してもよい。
【００３６】
引き続き図１を参照すると、ディスプレイシステム１０は積層体１２と放射線源１４とを含んでもよい。放射線源１４は電磁放射線１６を放射してもよい。放射線源１４は、放射線スペクトル全体に亘って、又はその一部のみに亘って（例えば、可視スペクトル、紫外線放射線及び赤外線放射線等、そしてそれらの組み合わせに亘って）、放射線１６を放射してもよい。放射線源１４は、放射線１６として白色光を放射してもよい。放射線１６は、Ｓ偏光放射線及び／又はＰ偏光放射線を含んでもよい。「Ｓ偏光放射」は、放射線１６が入射面に垂直な電界を有することを意味する。「Ｐ偏光放射」は、放射線１６が、入射面に沿った電界を有することを意味する。「入射の角度」は、面に入射する放射線の光線と、入射点における、面に対して垂直な線との間の角度として定義される。放射線源１４は、放射線１６が少なくとも１点において積層体１２と接触するように、積層体１２に向けられた放射線１６を放射してもよい。
【００３７】
引き続き図１を参照すると、ディスプレイシステム１０は偏光フィルタ１８を更に含んでもよい。偏光フィルタ１８は、放射線源１４と積層体１２との間に位置付けられてもよい。偏光フィルタ１８は、Ｐ偏光及び／又はＳ偏光放射線の少なくとも一部を通過させてもよい。偏光フィルタ１８は、Ｐ偏光放射線のみを通過させてもよい。偏光フィルタ１８は、Ｓ偏光放射線の少なくとも一部をフィルタリングして、フィルタリングされた部分が通過できないようにしてもよい。偏光フィルタ１８は、Ｓ偏光放射線の略全体をフィルタリングして、Ｓ偏光放射線の略全体が通過できないようにしてもよい。この文脈における略全体とは、偏光フィルタ１８が、Ｓ偏光放射線の少なくとも９５％、例えばＳ偏光放射線の少なくとも９７％、少なくとも９９％、又は１００％をフィルタリングすることを意味する。
【００３８】
引き続き図１を参照すると、放射線源１４は、放射線１６の少なくとも一部が積層体１２に反射して使用者の眼２０に向けられるように、放射線１６を積層体１２から外れるように放射してもよい。積層体１２に反射しなかった放射線の一部は、積層体１２で屈折したり、吸収されたり、それでなければ透過してもよい。使用者は偏光サングラス２１をかけていてもよく、使用者の眼２０に向けられた放射線１６は、偏光サングラス２１に向かっていてもよい。偏光サングラス２１は、Ｓ偏光放射線の少なくとも一部が通過できないように、Ｓ偏光放射線をフィルタリングしてもよい。
【００３９】
引き続き図１を参照すると、放射線源１４が、積層体１２に向けられた放射線１６を放射する場合、積層体１２の内側における領域に画像が投影され、その画像は使用者の眼２０で視認可能であってもよい。ディスプレイシステム１０の画像は、静的であっても動的であってもよい。画像は色を含んでもよいし、単色画像であっても多色画像であってもよい。画像は、ＨＵＤ内の画像であってもよい。ＨＵＤは、自動車又は他の車両内のＨＵＤであってもよい。この例では、積層体１２は、フロントガラス、又は車両内の他の積層体１２であってもよく、放射線源１４は、運転手（又は他の使用者）が車両の操作中に画像を見ることができるように、積層体１２に向けられて、画像を表示するようにしてもよい。
積層体
【００４０】
図１及び図２Ａ〜図２Ｆを参照すると、本発明の積層体１２の様々な例が示されている。積層体１２は、第１の面２４（Ｎｏ．１面）と、対向する第２の面２６（Ｎｏ．２面）とを有する第１の層２２を含んでもよい。また、積層体１２は、第３の面３０（Ｎｏ．３面）と、対向する第４の面３２（Ｎｏ．４面）とを有する第２の層２８を含んでもよい。この面の番号付けは、当該技術分野の慣例に従う。第２の面２６は第３の面３０に面していてもよく、中間レイヤ３４が、第２の面２６と第３の面３０との間に位置付けられてもよい。図１を参照すると、第１の面２４は積層体１２の外面であってもよく、第４の面３２は積層体１２の内面であってもよい。積層体１２が車両のフロントガラスである場合、第１の面２４は太陽に最も近い面であってもよく、第４の面３２は車両の内装に最も近い面であってもよい。このように、第４の面３２は、車両の内側に位置付けられ且つ積層体１２に向けられている放射線源１４に最も近い積層体１２の面であってもよい。
【００４１】
第１の層２２及び／又は第２の層２８は、可視光放射線に対して透明又は半透明であってもよい。「透明」は、０％より大きい値から１００％までの可視光放射線の透過率を有することを意味する。或いは、層は半透明であってもよい。「半透明」は、見ている者の向かい側にある物体を鮮明に視認できないように、可視光放射線を拡散させることを意味する。適切な材料の例には、限定はされないが、プラスチック基板（ポリアクリレートといったアクリル重合体等や、ポリメチルメタクリレート、ポリエチルメタクリレート及びポリプロピルメタクリレート等といったポリアルキルメタクリレートや、ポリウレタンや、ポリカーボネートや、ポリエチレンテレフタラート（ＰＥＴ）、ポリプロピレンテレフタレート及びポリブチレンテレフタレート等といったポリアルキルテレフタレートや、ポリシロキサン含有重合体、又はこれらを調製するためのいずれかの単量体の共重合体、若しくはこれらの全ての混合物）、セラミック基板、ガラス基板、又は上記のいずれかの混合物又は組み合わせが含まれる。例えば、層２２及び２８は、従来のソーダ石灰ケイ酸塩ガラス、ホウケイ酸ガラス又は鉛ガラスを含んでもよい。ガラスは透明ガラスでもよい。「透明ガラス」は、無染色又は無着色のガラスを意味する。或いは、ガラスは染色されるか、そうでなければ着色されたガラスであってもよい。ガラスは、焼きなましされるか、加熱処理されたガラスであってもよい。本明細書で使用されているように、「加熱処理された」という用語は、鍛えられる、又は少なくとも部分的に鍛えられることを意味する。ガラスは、従来のフロートガラスといった任意の種類、そして、例えば可視光放射線透過率、紫外線放射線透過率、赤外線放射線透過率、及び／又は全太陽エネルギ透過率の任意の値である任意の光学特性を有する、任意の構成のものであってもよい。「フロートガラス」は、溶融ガラスを溶融金属槽上に蒸着して、フロートガラスリボンを形成するように制御可能に冷却する、従来のフロートプロセスによって形成されるガラスを意味する。
【００４２】
第１の層及び／又は第２の層２２及び／又は２８は、例えば、透明フロートガラスであってもよいし、染色又は着色されたガラスであってもよい。層２２及び２８は、例えば長さ、幅、形状又は厚さについて任意の所望の寸法のものであってもよい。本発明の実施に使用されうるガラスの非限定の例には、いずれもペンシルバニアのＶｉｔｒｏ  Ａｒｃｈｉｔｅｃｔｕｒａｌ  Ｇｌａｓｓ  ｏｆ  Ｐｉｔｔｓｂｕｒｇｈ社から市販されている透明ガラス、Ｓｔａｒｐｈｉｒｅ（Ｒ）、Ｓｏｌａｒｇｒｅｅｎ（Ｒ）、Ｓｏｌｅｘｔｒａ（Ｒ）、ＧＬ−２０（Ｒ）、ＧＬ−３５（ＴＭ）、Ｓｏｌａｒｂｒｏｎｚｅ（Ｒ）、Ｓｏｌａｒｇｒａｙ（Ｒ）ガラス、Ｐａｃｉｆｉｃａ（Ｒ）ガラス、ＳｏｌａｒＢｌｕｅ（Ｒ）ガラス及びＯｐｔｉｂｌｕｅ（Ｒ）ガラスが含まれる。
【００４３】
第１の層２２及び第２の層２８の他方は、第１の層２２及び／又は第２の層２８用の前述した材料のいずれかであってもよい。第１の層２２及び第２の層２８は、互いに同じでもよいし、異なってもよい。第１及び第２の層２２及び２８は、それぞれ、例えば、透明フロートガラス又は染色若しくは着色されたガラスであってもよいし、一方の層２２又は２８が透明ガラスで、他方の層２２又は２８が着色されたガラスであってもよい。
【００４４】
引き続き図２Ａ〜図２Ｆを参照すると、積層体１２は、層２２及び２８の面２４、２６、３０及び３２の１つの少なくとも一部上に位置付けられる、改良Ｐ偏光反射性コーティング３６も含んでもよい。図２Ａでは、改良Ｐ偏光反射性コーティング３６は、第１の面２４上に位置付けられる。図２Ｂでは、改良Ｐ偏光反射性コーティング３６は、第２の面２２上に位置付けられる。図２Ｃでは、改良Ｐ偏光反射性コーティング３６は、第３の面３０上に位置付けられる。図２Ｄでは、改良Ｐ偏光反射性コーティング３６は、第４の面３２上に位置付けられる。
【００４５】
引き続き図２Ｅ及び図２Ｆを参照すると、積層体１２は、改良Ｐ偏光反射性コーティング３６の他に更なるコーティングレイヤを含んでもよい。積層体１２は、層２２及び２８の面２４、２６、３０及び３２の１つの上に位置付けられる反射防止コーティング３８を含んでもよい。図２Ｅ及び図２Ｆに示すように、反射防止コーティング３８は、改良Ｐ偏光反射性コーティング３６が第２の面２６（図２Ｅ）又は第３の面３０（図２Ｆ）上に位置付けられている場合、第４の面３２の上に位置付けられてもよい。
改良Ｐ偏光反射性コーティング
【００４６】
図３Ａ及び図３Ｂを参照すると、改良Ｐ偏光反射性コーティング３６は、二重金属機能レイヤ改良Ｐ偏光反射性コーティング３６であってもよい。二重金属機能レイヤ改良Ｐ偏光反射性コーティング３６では、ベースレイヤ４４が基板４２（先述の面２４、２６、３０及び３２の１つである基板４２）上に位置付けられてもよい。第１金属機能レイヤ４６がベースレイヤ４４上に位置付けられてもよい。第１犠牲金属レイヤ４８が第１金属機能レイヤ４６上に位置付けられてもよい。第１位相調節レイヤ５０が第１犠牲金属レイヤ４８上に位置付けられてもよい。第２金属機能レイヤ５２が第１位相調節レイヤ５０上に位置付けられてもよい。第２犠牲金属レイヤ５４が第２金属機能レイヤ５２上に位置付けられてもよい。トップコートレイヤ５６が第２犠牲金属レイヤ５４上に位置付けられてもよい。オーバーコート５８がトップコートレイヤ５６上に位置付けられてもよい。
【００４７】
図３Ｂを参照すると、二重金属機能レイヤ改良Ｐ偏光反射性コーティング３６における改良Ｐ偏光反射性コーティング３６のレイヤの少なくとも１つが、複数のレイヤを含んでもよい。ベースレイヤ４４は、第１膜６６と第２膜６８とを含んでもよい。第１膜６６は、基板４２上に位置付けられてもよく、第２膜６８は第１膜６６上に位置付けられてもよい。第１位相調節レイヤ５０は、第１膜７０と、第２膜７２と、第３膜７４とを含んでもよい。第１膜７０は第１犠牲金属レイヤ４８上に位置付けられてもよい。第２膜７２は第１膜７０上に位置付けられてもよく、第３膜７４は第２膜７２上に位置付けられてもよい。トップコートレイヤ５６は第１膜７６と第２膜７８とを含んでもよい。第１膜７６は第２犠牲金属レイヤ５４上に位置付けられてもよく、第２膜７８は第１膜７６上に位置付けられてもよい。
【００４８】
図４Ａ及び図４Ｂを参照すると、改良Ｐ偏光反射性コーティング３６は、図３Ａ及び図３Ｂの二重金属機能レイヤ改良Ｐ偏光反射性コーティング３６と比較して幾つかの追加のレイヤを含む三重金属機能改良反射性コーティング３６である。三重金属機能改良Ｐ偏光反射性コーティング３６は、（二重金属機能レイヤ改良Ｐ偏光反射性コーティング３６と比較して）第２犠牲金属レイヤ５４上に位置付けられる第２位相調節レイヤ６０を更に含んでもよい。第３金属機能レイヤ６２が第２位相調節レイヤ６０上に位置付けられてもよい。第３犠牲金属レイヤ６４が第３金属機能レイヤ６２上に位置付けられてもよい。（先述した）トップコートレイヤ５６及びオーバーコートレイヤ５８は第３犠牲金属レイヤ６４上に位置付けられてもよい。
【００４９】
図４Ｂを参照すると、三重金属機能レイヤ改良Ｐ偏光反射性コーティング３６における改良Ｐ偏光反射性コーティング３６のレイヤの少なくとも１つが、複数のレイヤを含んでもよい。三重金属機能レイヤ改良Ｐ偏光反射性コーティング３６における第２位相調節レイヤ６０は、二重金属機能レイヤ改良Ｐ偏光反射性コーティング３６について説明したものに加えて（図３Ｂ）、複数のレイヤを有してもよい。第２位相調節レイヤ６０は、第１膜８０と、第２膜８２と、第３膜８４とを含んでもよい。第１膜８０は第２犠牲金属レイヤ５４上に位置付けられてもよい。第２膜８２は第１膜８０上に位置付けられてもよく、第３膜８４は第２膜８２上に位置付けられてもよい。先述した複数レイヤのトップコートレイヤ５６において、第１膜７６は第３犠牲金属レイヤ６４上に位置付けられてもよい。
【００５０】
この開示に基づき、更なる繰り返しコーティング部が本発明の範囲内にあることが理解されよう。例えば、この開示によって、（例えば、四重や五重等の金属機能レイヤ改良Ｐ偏光反射性コーティング３６を形成するように）追加の位相調節レイヤ、金属機能レイヤ、及び／又は犠牲金属レイヤを追加することも検討される。
【００５１】
改良Ｐ偏光反射性コーティング３６は、可視波長エネルギについてはコーティングを透過させるが、より長い波長の太陽赤外線エネルギは反射する、導電性低放射率コーティングであってもよい。「低放射率」は、０．４未満、例えば０．３未満、例えば０．２未満、例えば０．１未満、例えば０．０５以下の放射率を意味する。
【００５２】
改良Ｐ偏光反射性コーティング３６は、基板４２に適用された場合、国際照明委員会によって定められた１９７６ＣＩＥＬＡＢ色システムに従って、明度ａ＊及び／又はｂ＊の反射率が−２と２との間になるように、基板４２を中間色にしてもよい。基板４２は、基板４２を基板４２に対して垂直な角度から見た場合に、反射率が３０％以下、例えば１５％以下となるように、低い外部反射率を有してもよい。
【００５３】
改良Ｐ偏光反射性コーティング３６は、任意の従来の方法によって基板４２上に蒸着されてもよい。こうした方法の例には、従来の化学的蒸着法（ＣＶＤ）及び／又は物理的蒸着法（ＰＶＤ）が含まれる。ＣＶＤプロセスの例には噴霧熱分解が含まれる。ＰＶＤプロセスの例には、（マグネトロンスパッタ蒸着（ＭＳＶＤ）といった）電子ビーム蒸着及び真空スパッタリングが含まれる。限定はされないが、ゾルゲル蒸着といった他のコーティング方法も使用できる。非限定の一実施例では、改良Ｐ偏光反射性コーティング３６はＭＳＶＤによって蒸着されてもよい。
【００５４】
改良Ｐ偏光反射性コーティング３６は、基板４２の一部又は全面上に蒸着されてもよい。幾つかの例では、改良Ｐ偏光反射性コーティング３６は、基板４２の第１の広領域上に蒸着され、その後第１の広領域の一部が「除去」されて、改良Ｐ偏光反射性コーティング３６が、第１の広領域の小範囲である第２の狭領域上に位置付けられるようにしてもよい。
１．ベースレイヤ
【００５５】
ベースレイヤ４４は１つ又は複数の非金属レイヤを含んでもよい。例えば、ベース４４レイヤは、誘電体又は半導体材料を含んでもよい。例えば、ベースレイヤ４４は、酸化物、窒化物、酸窒化物及び／又はそれらの混合物を含んでもよい。ベースレイヤ４４に適した材料の例には、チタン、ハフニウム、ジルコニウム、ニオブ、亜鉛、ビスマス、鉛、インジウム、スズ及びそれらの混合物の酸化物、窒化物又は酸窒化物が含まれてもよい。これらは、酸化ビスマスや酸化インジウム内のスズ等におけるマンガンといった、少量の他の材料を有してもよい。また、亜鉛及びスズを含有する酸化物（例えばスズ酸亜鉛）、インジウムスズ合金の酸化物、窒化ケイ素、窒化ケイ素アルミニウム、又は窒化アルミニウムといった、金属合金又は金属混合物の酸化物が使用されてもよい。また、アンチモン若しくはインジウムドープ酸化スズ又はニッケル若しくはホウ素ドープ酸化ケイ素といったドープ金属酸化物が使用されてもよい。特定の材料の例には、酸化亜鉛、酸化スズ、窒化ケイ素、窒化ケイ素アルミニウム、窒化ケイ素ニッケル、窒化ケイ素クロム、アンチモンドープ酸化スズ、アルミニウムドープ酸化亜鉛、インジウムドープ酸化亜鉛、酸化チタン及び／又はそれらの混合物が含まれてもよい。ベースレイヤ４４は単一の材料を含んでもよい。或いは、ベースレイヤ４４は複数の材料及び／又は複数のレイヤを含んでもよい。
【００５６】
ベースレイヤ４４は、改良Ｐ偏光反射性コーティング３６のレイヤの様々な界面境界から部分的に反射したりそれらを部分的に透過したりする電磁放射線の、建設的及び相殺的な光学干渉の調節を可能にしてもよい。また、ベースレイヤ４４は、金属機能レイヤ４６、５２及び６２といった、改良Ｐ偏光反射性コーティング３６の他のレイヤに対する化学的及び／又は機械的保護を提供してもよい。
【００５７】
可視光の高透過率が望まれている場合、ベースレイヤ４４は反射防止レイヤとして機能し、金属機能レイヤ４６、５２及び６２の反射を防止して、全体の可視光反射率を軽減し且つ／又は改良Ｐ偏光反射性コーティング３６の可視光透過率を向上させる。約２の屈折率を有する材料は、金属機能レイヤ４６、５２及び６２の反射防止に特に有用である。
【００５８】
図示の例示的な改良Ｐ偏光反射性コーティング３６において、ベースレイヤ４４は、（層２２及び２８の１つの面２４、２６、３０及び３２の１つである）基板４２の少なくとも一部上に位置付けられてもよい。ベースレイヤ４４は、単一のレイヤであってもよいし、上記の反射防止材料及び／又は誘電体材料の１つ以上の膜を含んでもよい。ベースレイヤ４４は、可視光に対して透明であってもよい。
【００５９】
上述したように、ベースレイヤ４４は、金属酸化物、金属酸化物の混合物及び／又は金属合金酸化物を含んでもよい。例えば、ベースレイヤ４４は、亜鉛及びスズの酸化物を含んでもよい。
【００６０】
ベースレイヤ４４は、３００〜５５０オングストロームの範囲内の厚さを有してもよい。例えば、ベースレイヤ４４は、３００〜５００オングストローム、３５０〜４３０オングストローム又は３７５〜４３０オングストロームの範囲内の厚さを有してもよい。例えば、ベースレイヤ４４は、３５０〜５５０オングストローム、４００〜５００オングストローム又は４２０〜４９０オングストロームの範囲内の厚さを有してもよい。
【００６１】
ベースレイヤ４４は、第１膜６６及び／又は第２膜６８を有する複数膜構造を含んでもよい。第１膜６６は、例えば金属合金酸化膜であってもよい。第２膜６８は、例えば酸化金属膜又は酸化物混合膜であってもよい。第２膜６８は、第１膜６６上に位置付けられてもよい。
【００６２】
第１膜６６は亜鉛／スズ合金酸化物であってもよい。「亜鉛／スズ合金酸化物」は、真の合金及び酸化物の混合物の両方を意味する。亜鉛／スズ合金酸化物は、亜鉛及びスズのカソードからのマグネトロンスパッタリング真空蒸着から取得してもよい。カソードは、亜鉛及びスズを、５ｗｔ．％〜９５ｗｔ．％の亜鉛及び９５ｗｔ．％〜５ｗｔ．％のスズ、例えば１０ｗｔ．％〜９０ｗｔ．％の亜鉛及び９０ｗｔ．％〜１０ｗｔ．％のスズの比率で含んでもよい。しかしながら、亜鉛のスズに対する他の比も使用できる。第１膜４２用の例示的な金属合金酸化物は、「ｘ」が０より大きい値〜１未満の範囲内で変動する、ＺｎＸＳｎ１−ＸＯ２−Ｘ（式１）として書かれてもよい。例えば、「ｘ」は、０より大きくてもよく、０より大きい値〜１未満の間の任意の分数又は小数であってもよい。式１の化学量論形態は、一般にスズ酸亜鉛と呼ばれる「Ｚｎ２ＳｎＯ４」である。スズ酸亜鉛レイヤは、酸素存在下で５２ｗｔ．％の亜鉛及び４８ｗｔ．％のスズを有するカソードからスパッタ蒸着されてもよい。例えば、第１膜６６はスズ酸亜鉛を含んでもよい。
【００６３】
第２膜６８は酸化金属膜を含んでもよい。例えば、第２膜６８は酸化亜鉛を含んでもよい。酸化亜鉛は、カソードのスパッタリングの特質を向上させるように、他の材料を含むスズカソードから蒸着されてもよい。例えば、スズカソードは、スパッタリングを向上させるように少量（例えば１０ｗｔ．％まで、例えば５ｗｔ．％まで）のスズを含んでもよい。このように、結果的に得られる亜鉛酸化膜は、少ない割合の酸化スズ、例えば１０ｗｔ．％までの酸化スズ、例えば５ｗｔ．％までの酸化スズを含んでもよい。１０ｗｔ．％までのスズを有する亜鉛カソードから蒸着されたコーティングレイヤは、少量（例えば１０ｗｔ．％まで）の酸化スズが存在する場合であっても、本明細書では「亜鉛酸化膜」と呼ばれる。カソード内のスズは、主に酸化亜鉛第２膜６８内に酸化スズを形成すると信じられている。
２．金属機能レイヤ
【００６４】
金属機能レイヤ４６、５２及び６２の少なくとも１つは連続的な金属レイヤであってもよい。「連続的な」金属レイヤは、均質レイヤといった、切れ目がない又は分離されていないレイヤを意味する。
【００６５】
金属機能レイヤ４６、５２及び６２は、例えば、電磁スペクトルの太陽赤外線放射線領域内及び／又は熱赤外線放射線領域内といった、電磁スペクトルの赤外線放射線領域の少なくとも一部における、電磁放射線の反射率を提供する。
【００６６】
金属機能レイヤ４６、５２及び６２に有用な材料の例には、貴金属又は準貴金属（ｎｅａｒ  ｎｏｂｌｅ  ｍｅｔａｌｓ）が含まれる。こうした金属の例には、銀、金、白金、パラジウム、オスミウム、イリジウム、ロジウム、ルテニウム、銅、水銀、レニウム、アルミニウム、及びそれらの組み合わせが含まれる。例えば、１つ以上の金属機能レイヤ４６、５２及び６２が金属銀を含んでもよい。
【００６７】
第１金属機能レイヤ４６は、ベースレイヤ４４上に位置付けられて、上記金属のいずれかを含んでもよい。例えば、第１金属機能レイヤ４６は銀を含んでもよい。第１金属機能レイヤ４６は連続的なレイヤであってもよい。
【００６８】
第１金属機能レイヤ４６は、１０〜２００オングストロームの範囲内の厚さを有した連続的なレイヤであってもよい。例えば、第１金属機能レイヤ４６は、１０〜２００オングストローム又は５０〜１５０オングストロームの範囲内の厚さを有してもよい。例えば、第１金属機能レイヤ４６は、１０〜１５０オングストローム又は５０〜１２５オングストロームの範囲内の厚さを有してもよい。
【００６９】
第２金属機能レイヤ５２は、第１位相調節レイヤ５０上に位置付けられてもよい。第２金属機能レイヤ５２は、銀を含む連続的なレイヤであってもよい。
【００７０】
第２金属機能レイヤ５２は、１０〜１５０オングストロームの範囲内の厚さを有する連続的なレイヤであってもよい。例えば、第２金属機能レイヤ５２は、１０〜１５０オングストローム又は５０〜１２５オングストロームの範囲内の厚さを有してもよい。例えば、第２金属機能レイヤ５２は、１０〜１００オングストローム、５０〜７５オングストローム又は６５〜７５オングストロームの範囲内の厚さを有してもよい。
【００７１】
第３金属機能レイヤ６２は、第１又は第２金属機能レイヤ４６又は５２に対して上述された材料のいずれかを含んでもよい。例えば、第３金属機能レイヤ７０は銀を含んでもよい。第３金属機能レイヤ７０は、第２位相調節レイヤ６０上に位置付けられた連続的なレイヤであってもよい。
【００７２】
例えば、第３金属機能レイヤ６２は、５０〜２００オングストローム、７５〜１５０オングストローム又は６０〜１４０の範囲内の厚さを有する連続的なレイヤであってもよい。
【００７３】
この金属機能レイヤ４６、第２金属機能レイヤ５２及び任意の第３金属機能レイヤ６２は、組み合わせられた厚さを有する。組み合わせられた厚さは、１００〜３５０オングストローム、１５０〜３００オングストローム又は１７５〜２７５オングストロームの範囲内であってもよい。第１及び第２金属機能レイヤ４６及び５２のみを備える実施例では、組み合わせられた厚さは、１５０〜２５０オングストローム、１７５〜２２５オングストローム、１７５〜２１５オングストローム又は１７８−２１１オングストロームの範囲内であってもよい。第１、第２及び第３金属機能レイヤ４６、５２及び６２を備える実施例については、組み合わせられた厚さは、２２５〜３２５オングストローム、２４０〜３００オングストローム、２５０〜２８０オングストローム又は２５３〜２７５オングストロームの範囲内であってもよい。
３．犠牲金属レイヤ
【００７４】
犠牲金属レイヤ４８、５４及び６４は、下方の対応する金属機能レイヤ４６、５２、６２と直接的に接触して位置付けられてもよい。犠牲金属レイヤ４８、５４及び６４は、熱焼き戻しといったコーティングプロセス及び／又は後続の処理の間、対応する金属機能レイヤ４６、５２及び６２を保護してもよい。犠牲金属レイヤ４８、５４及び６４は金属として蒸着されてもよい。上方の位相調節レイヤ５０及び６０又はトップコートレイヤ５６の蒸着といった後続処理及び／又は熱焼き戻しの間、犠牲金属レイヤ４８、５４及び６４の幾つか又は全てが酸化してもよい。酸化物又は窒化物材料が上方の位相調節レイヤ５０及び６０又はトップコートレイヤ５６に使用されている場合、犠牲金属レイヤ４８、５４及び６４は、酸素を形成しやすい（ｏｘｏｐｈｉｌｌｉｃ）又は窒素を形成しやすい（ｎｉｔｒｏｐｈｉｌｌｉｃ）材料をそれぞれ含んでもよい。犠牲金属レイヤ４８、５４及び６４は、全て同じ材料である必要はない。犠牲金属レイヤ４８、５４及び６４は、同じ厚さである必要はない。
【００７５】
犠牲金属レイヤ４８、５４及び６４に有用な材料の例には、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン及びそれらの組み合わせを含む。
【００７６】
第１犠牲金属レイヤ４８は第１金属機能レイヤ４６上に位置付けられてもよい。第１犠牲金属レイヤ４８は、単一の膜であってもよいし、複数の膜レイヤであってもよい。第１犠牲金属レイヤ４８は、上述した材料のいずれかを含んでもよい。例えば、第１犠牲金属レイヤ４８はチタンを含んでもよい。
【００７７】
第２犠牲金属レイヤ５４は第２金属機能レイヤ５２上に位置付けられてもよい。第２犠牲金属レイヤ５４は、第１犠牲金属レイヤ４８に対して上述した材料のいずれかを含んでもよい。例えば、第２犠牲金属レイヤ５４はチタンを含んでもよい。
【００７８】
第３犠牲金属レイヤ６４は第３金属機能レイヤ６２上に位置付けられてもよい。第３犠牲金属レイヤ６４は、第１又は第２犠牲金属レイヤ４８又は５４に対して上述した材料のいずれかを含んでもよい。例えば、第３犠牲金属レイヤ６４はチタンを含んでもよい。
【００７９】
犠牲金属レイヤ４８、５４及び６４は、１０〜５０オングストローム、例えば２０〜４０オングストローム又は２５〜３５オングストロームの範囲内で、同じ厚さを有してもよいし異なる厚さを有してもよい。犠牲金属レイヤの厚さは、下方の機能金属レイヤに十分な保護を提供する（例えば、好適には、犠牲金属等が酸化して、上方のレイヤの蒸着の間に下方の金属機能レイヤを保護する）ように選択されてもよい。
４．位相調節レイヤ
【００８０】
位相調節レイヤ５０及び６０は非金属レイヤであってもよい。例えば、位相調節レイヤ５０及び６０は、誘電体又は半導体材料を含んでもよい。例えば、位相調節レイヤ５０及び６０は、酸化物、窒化物、酸窒化物及び／又はそれらの混合物を含んでもよい。位相調節レイヤ５０及び６０に適した材料の例には、チタン、ハフニウム、ジルコニウム、ニオブ、亜鉛、ビスマス、鉛、インジウム、スズ及びそれらの混合物の酸化物、窒化物又は酸窒化物が含まれてもよい。これらは、酸化ビスマスや酸化インジウム内のスズ等におけるマンガンといった、少量の他の材料を有してもよい。また、亜鉛及びスズを含有する酸化物（例えばスズ酸亜鉛）、インジウムスズ合金の酸化物、窒化ケイ素、窒化ケイ素アルミニウム、又は窒化アルミニウムといった、金属合金又は金属混合物の酸化物が使用されてもよい。また、アンチモン若しくはインジウムドープ酸化スズ又はニッケル若しくはホウ素ドープ酸化ケイ素といったドープ金属酸化物が使用されてもよい。特定の材料の例には、酸化亜鉛、酸化スズ、窒化ケイ素、窒化ケイ素アルミニウム、窒化ケイ素ニッケル、窒化ケイ素クロム、アンチモンドープ酸化スズ、アルミニウムドープ酸化亜鉛、インジウムドープ酸化亜鉛、酸化チタン及び／又はそれらの混合物が含まれてもよい。
【００８１】
位相調節レイヤ５０及び６０は単一の材料を含んでもよい。或いは、位相調節レイヤ５０及び６０は、複数の材料及び／又は複数のレイヤを含んでもよい。異なる位相調節レイヤ５０及び６０は、同じ材料を含んでもよいし異なる材料を含んでもよい。位相調節レイヤ５０及び６０は、同じ厚さを有してもよいし異なる厚さを有してもよい。
【００８２】
位相調節レイヤ５０及び６０は、改良Ｐ偏光反射性コーティング３６のレイヤの様々な界面境界から部分的に反射したりそれらを部分的に透過したりする電磁放射線の、建設的及び相殺的な光学干渉の調節を可能にしてもよい。位相調節レイヤ５０及び６０の厚さ及び／又は構成を変動させることによって、改良Ｐ偏光反射性コーティング３６の全体の反射率、透過率及び／又は吸収率が変更されて、改良Ｐ偏光反射性コーティング３６の太陽光制御性能、熱赤外線絶縁性能、色及び／又は美しさが変更されうる。また、位相調節レイヤ５０及び６０は、金属機能レイヤ４６、５２及び６２といった、改良Ｐ偏光反射性コーティング３６の他のレイヤに対する化学的及び／又は機械的保護を提供してもよい。
【００８３】
可視光の高透過率が望まれている場合、位相調節レイヤ５０及び６０は反射防止レイヤとして機能し、金属機能レイヤ４６、５２及び６２の反射を防止して、全体の可視光反射率を軽減し且つ／又は改良Ｐ偏光反射性コーティング３６の可視光透過率を向上させる。約２の屈折率を有する材料は、金属機能レイヤ４６、５２及び６２の反射防止に特に有用である。
【００８４】
第１位相調節レイヤ５０は、第１犠牲金属レイヤ４８上に位置付けられてもよい。第１位相調節レイヤ５０は、上記の材料及び／又は膜の１つ以上を含んでもよい。
【００８５】
第１位相調節レイヤ５０は、６００〜１，１００オングストロームの範囲内の厚さを有してもよい。例えば、第１位相調節レイヤ５０は、７００〜１，１００オングストローム、例えば８５０〜１，０５０オングストローム、例えば６７５〜１０５０オングストローム又は例えば６８９〜１０４８オングストロームの範囲内の厚さを有してもよい。例えば、第１位相調節レイヤ５０は、６００〜１，０００オングストローム、例えば６７５〜８７５オングストローム又は例えば６８９〜８６６オングストロームの範囲内の厚さを有してもよい。例えば、第１位相調節レイヤ５０は、８２５〜１１００オングストローム、例えば８５０〜１０７５オングストローム、例えば８７５〜１０５０オングストローム、例えば８７９〜１０４８オングストロームの範囲内の厚さを有してもよい。
【００８６】
第１位相調節レイヤ５０は、単一のレイヤであってもよいし複数レイヤの構造であってもよい。例えば、第１位相調節レイヤ５０は、第１膜７０と、第２膜７２と、第３膜７４とを含んでもよい。
【００８７】
例えば、第１膜７０は酸化金属膜を含んでもよい。例えば、第１膜７０は亜鉛酸化膜を含んでもよい。
【００８８】
例えば、第２膜７２は金属合金酸化膜を含んでもよい。例えば、第２膜７２はスズ酸亜鉛膜を含んでもよい。
【００８９】
例えば、第３膜７４は酸化金属膜を含んでもよい。例えば、第３膜５６は亜鉛酸化膜を含んでもよい。
【００９０】
任意の第２位相調節レイヤ６０は、第２犠牲金属レイヤ５４上に位置付けられてもよい。第２位相調節レイヤ６０は、第１位相調節レイヤ５０に対して上述したような材料及び／又はレイヤのいずれかを含んでもよい。例えば、第２位相調節レイヤ６０は複数膜構造である。例えば、第２位相調節レイヤ６０は、第１膜８０と、第２膜８２と、第３膜８４とを含んでもよい。
【００９１】
第２位相調節レイヤ６０は、５００〜１，０００オングストローム、例えば６００〜８２５オングストローム又は例えば６１９〜８１７オングストロームの範囲内の厚さを有してもよい。
【００９２】
第１膜８０は、例えば酸化亜鉛レイヤである酸化金属レイヤを含んでもよい。第２膜８２は、例えばスズ酸亜鉛である金属合金酸化物材料を含んでもよい。第３膜８４は、例えば酸化亜鉛レイヤである酸化金属レイヤを含んでもよい。
５．トップコートレイヤ
【００９３】
トップコートレイヤ５６は、第１又は第２位相調節レイヤ５０又は６０に対して上述したような１つ以上の材料及び／又はレイヤを含んでもよい。
【００９４】
トップコートレイヤ５６は、３００〜４５０オングストロームの範囲内の厚さを有してもよい。トップコートレイヤ５６は、３００〜４００オングストローム又は３４０〜３７５オングストロームの範囲内の厚さを有してもよい。トップコートレイヤ５６は、２７５〜４５０オングストローム、３００〜４１５オングストローム、３１１〜４１１オングストローム又は３４６〜３６８オングストロームの範囲内の厚さを有してもよい。
【００９５】
トップコートレイヤ５６は、第１膜７６と第２膜７８とを含んでもよい。第１膜７６は、例えば酸化亜鉛レイヤである酸化金属レイヤを含んでもよい。第２膜７８は、例えばスズ酸亜鉛レイヤである金属合金酸化物レイヤを含んでもよい。
６．オーバーコート
【００９６】
改良Ｐ偏光反射性コーティング３６は、トップコートレイヤ５６上に位置付けられたオーバーコート５８を含んでもよい。オーバーコート５８は、下方のレイヤに対する、処理中の機械的及び化学的な攻撃からの保護を助けるように、トップコートレイヤ５６上に蒸着されてもよい。オーバーコート５８は、例えば加熱又は曲げ加工の間の、改良Ｐ偏光反射性３６の下方のレイヤ内への雰囲気酸素の通過を防止又は軽減するように、酸素障壁コーティングレイヤであってもよい。オーバーコート５８は、任意の所望の材料又は材料の混合物を含んでもよい。例示的な一実施例では、オーバーコート５８は、限定はされないが、アルミニウム、シリコン又はそれらの混合物の酸化物（例えば、シリカ・アルミナコーティングである）といった、１つ以上の金属酸化物材料を有したレイヤを含んでもよい。例えば、オーバーコート５８は、０ｗｔ．％〜１００ｗｔ．％のアルミナ及び／又は１００ｗｔ．％〜０ｗｔ．％のシリカ、例えば５ｗｔ．％〜９５ｗｔ．％のアルミナ及び９５ｗｔ．％〜５ｗｔ．％のシリカ、例えば１０ｗｔ．％〜９０ｗｔ．％のアルミナ及び９０ｗｔ．％〜１０ｗｔ．％のシリカ、例えば１５ｗｔ．％〜９０ｗｔ．％のアルミナ及び８５ｗｔ．％〜１０ｗｔ．％のシリカ、例えば５０ｗｔ．％〜７５ｗｔ．％のアルミナ及び５０ｗｔ．％〜２５ｗｔ．％のシリカ、例えば５０ｗｔ．％〜７０ｗｔ．％のアルミナ及び５０ｗｔ．％〜３０ｗｔ．％のシリカ、例えば３５ｗｔ．％〜１００ｗｔ．％のアルミナ及び６５ｗｔ．％〜０ｗｔ．％のシリカ、例えば、７０ｗｔ．％〜９０ｗｔ．％のアルミナ及び３０ｗｔ．％〜１０ｗｔ．％のシリカ、例えば、７５ｗｔ．％〜８５ｗｔ．％のアルミナ及び２５ｗｔ．％〜１５ｗｔ．％のシリカ、例えば、８８ｗｔ．％のアルミナ及び１２ｗｔ．％のシリカ、例えば、６５ｗｔ．％〜７５ｗｔ．％のアルミナ及び３５ｗｔ．％〜２５ｗｔ．％のシリカ、例えば、７０ｗｔ．％のアルミナ及び３０ｗｔ．％のシリカ、例えば、６０ｗｔ．％〜７５ｗｔ．％未満のアルミナ及び２５ｗｔ．％より大きい値〜４０ｗｔ．％のシリカをこれらの範囲内で含む単一のコーティングレイヤであってもよい。オーバーコート５８は、８５ｗｔ．％のシリカ及び１５ｗｔ．％のアルミナを含む単一のコーティングレイヤであってもよい。例えばオーバーコート５８の屈折率を調節するように、アルミニウム、クロム、ハフニウム、イットリウム、ニッケル、ホウ素、リン、チタン、ジルコニウム及び／又はそれらの酸化物といった他の材料も存在してもよい。非限定の一例では、オーバーコート５８の屈折率は、１〜３、例えば１〜２、又は例えば１．４〜２、例えば１．４〜１．８の範囲内であってもよい。
【００９７】
オーバーコート５８は、シリカ・アルミナ組み合わせコーティングであってもよい。オーバーコート５８は、２つのカソード（例えば、１つのシリコン及び１つのアルミニウム）から、又はシリコン及びアルミニウムの両方を含む単一のカソードからスパッタされてもよい。この酸化ケイ素／アルミニウムオーバーコート５８は、「ｘ」が０より大きい値から１未満の値に変動する、ＳｉｘＡｌ１−ｘＯ１．５＋ｘ／２として書かれてもよい。
【００９８】
或いは、オーバーコート５８は、限定はされないが、一方の金属酸化物含有レイヤ（例えば、シリカ及び／又はアルミナ含有第１レイヤ）を他方の金属酸化物含有レイヤ（例えば、シリカ及び／又はアルミナ含有第２レイヤ）上に形成して形成された二層レイヤといった、別々に形成された金属酸化物材料のレイヤによって形成された複数レイヤコーティングであってもよい。複数レイヤ保護コーティングの個々のレイヤは、任意の所望の厚さを有してもよい。
【００９９】
オーバーコート５８は任意の所望の厚さを有してもよい。非限定の一実施例では、オーバーコート５８は、１００〜１，０００オングストローム、例えば６００〜８００オングストローム又は例えば７００オングストロームの範囲内の厚さを有する、酸化ケイ素／アルミニウムコーティング（ＳｉｘＡｌ１−ｘＯ１．５＋ｘ／２）であってもよい。
中間レイヤ
【０１００】
図５Ａ及び５Ｂを参照すると、積層体１２は中間レイヤ３４を含んでもよい。中間レイヤ３４は、層２２及び２８を共に保持するのに適した材料を含んでもよい。中間レイヤ３４は、ポリビニルブチラール（ＰＶＢ）といった重合体から作られてもよい。中間レイヤ３４は、第２の面２６及び／又は第３の面３０上に位置付けられてもよい。中間レイヤ３４は、改良Ｐ偏光反射性コーティング３６と接触していてもよい。中間レイヤ３４は、層２２及び２８を共に保持するのに適した任意の厚さを有してもよい。中間レイヤ３４は、０．７６ｍｍの厚さのＰＶＢの中間レイヤ３４であってもよい。
【０１０１】
図５Ａを参照すると、第１の層２２は、第２の層２８に対して非平行であってもよい。中間レイヤ３４は、第１の層２２と第２の層２８との間に位置付けられてもよく、楔形状であってもよい。中間レイヤ３４の楔形状は、ゴースト発生を回避するように（例えば、異なる点に集中する、積層体１２に反射する光の方向に基づいて、複数の画像が見えることを回避するように）、放射線１６が適切な角度で積層体１２に反射するように構成されている。
【０１０２】
図５Ｂを参照すると、中間レイヤ３４は、積層体１２の他の構造における均一な厚さのレイヤであってもよく、積層体１２の他の設計の態様がゴースト発生に対抗することから、中間レイヤ３４は、ゴースト発生の問題を回避するように楔形状である必要はない。
追加のコーティングレイヤ
【０１０３】
上述したように、積層体１２は、改良Ｐ偏光反射性コーティング３６の他に追加のレイヤを含んでもよい。積層体１２は、反射防止コーティング３８を含んでもよい。反射防止コーティング３８は、第１の面２４及び／又は第４の面３２上に位置付けられてもよい。反射防止コーティングは、相対的に高い屈折率の材料と低い屈折率の材料との交互のレイヤを備えてもよい。「高い」屈折率の材料は、「低い」屈折率の材料よりも高い屈折率を有する任意の材料である。低い屈折率の材料は、１．７５以下の屈折率を有する材料であってもよい。こうした材料の非限定の例には、シリカ、アルミナ及びそれらの混合物又は組み合わせが含まれる。高い屈折率の材料は、１．７５よりも大きな屈折率を有する材料であってもよい。こうした材料の非限定の例には、ジルコニア及びスズ酸亜鉛が含まれる。反射防止コーティングは、例えば、第１金属合金酸化物レイヤ（第１レイヤ）と、第２金属酸化物レイヤ（第２レイヤ）と、第３金属合金酸化物レイヤ（第３レイヤ）と、金属酸化物上部レイヤ（第４レイヤ）とを有する複数レイヤコーティングであってもよい。非限定の一例では、第４レイヤ（上方低屈折率レイヤ）は、シリカ、アルミナ若しくはそれらの混合物又は組み合わせを備え、第３レイヤ（上方高屈折率レイヤ）は、スズ酸亜鉛、ジルコニア若しくはそれらの混合物又は組み合わせを備え、第２レイヤ（下部低屈折率レイヤ）は、シリカ、アルミナ若しくはそれらの混合物又は組み合わせを備え、第１レイヤ（下部高屈折率レイヤ）は、スズ酸亜鉛、ジルコニア若しくはそれらの混合物又は組み合わせを備える。他の適切な反射防止コーティングは、特許文献１の第２段５３行目から第３段３８行目及び例１〜３に開示される。更なる適切な反射防止コーティングは、特許文献２の第２段６４行目から第５段２２行目、第８段１２〜３０行目、第１０段６５行目から第１１段１１行目、第１３段７行目から第１４段４６行目、第１６段３５〜４８行目、第１９段６２行目から第２１段４行目、例１〜１３及び表１〜８に開示される。
【０１０４】
反射防止コーティング３８は、全体の可視光反射率を軽減し且つ／又は改良Ｐ偏光反射性コーティング３６の可視光透過率を向上させる。約２の屈折率を有する材料は、反射防止コーティング３８に特に有用である。反射防止コーティング３８を第１の面２４又は第４の面３２上に設けることで、空気‐ガラス界面又はガラス‐空気界面のブルースター角から、空気‐反射防止コーティング材料界面又は反射防止コーティング材料‐空気界面のブルースター角へと、ブルースター角を変更できることが理解されよう。これにより、反射及び屈折するＰ偏光放射線の量は、反射防止コーティング３８を含むことによって、空気‐ガラス界面又はガラス‐空気界面の場合と比べて変更できる。
【０１０５】
基板のディスプレイシステムは、２つの金属機能レイヤのみ又は３つの金属機能レイヤのみであってもよい。２つの金属機能レイヤのみを含む実施例では、改良Ｐ偏光反射性コーティングは、各レイヤについて以下の厚さの範囲を有することができる。
2020532763.tif 000003
【０１０６】
２つの金属機能レイヤのみを含む実施例では、改良Ｐ偏光反射性コーティングは、各レイヤについて以下の厚さの範囲を有することができる。
2020532763.tif 000004
ブルースター角
【０１０７】
ブルースター角は、Ｐ偏光放射線が接触する積層体１２の面を完全に透過するＰ偏光放射線の入射の角度として定義される。言い換えれば、ブルースター角は、Ｐ偏光放射線が反射しないように、全てのＰ偏光放射線が屈折／透過する入射の角度である。
【０１０８】
空気‐ガラス界面（例えば積層体１２がガラスの場合）のブルースター角は約５７°である。ガラス‐空気界面（例えば積層体１２がガラスの場合）のブルースター角は約３３°である。このように、空気‐ガラス界面を有する積層体１２の内側における、積層体１２の第４の面３２に当たる、放射線源１４からの放射線１６の入射角度が５７°の場合、全てのＰ偏光放射線が屈折し、第４の面３２から使用者の眼２０に何も反射しない。
【０１０９】
図６を参照すると、システム１０の第４の面３２のブルースター角は、改良Ｐ偏光反射性コーティング３６を第１の面２４又は第４の面３２上に位置付けることで変更されてもよい。図６では、改良Ｐ偏光反射性コーティング３６は第４の面３２上に位置付けられている。この場合、第４の面３２のブルースター角は、空気‐改良Ｐ偏光反射性コーティング３６界面のブルースター角になる。
【０１１０】
引き続き図６を参照すると、ゴースト発生は、放射線１６が改良Ｐ偏光反射性コーティング３６に当たる角度を調節することにより、改良Ｐ偏光反射性コーティング３６を第１の面２４又は第４の面３２に位置付けることで取り除かれてもよい。図６に示すように、第４の面３２上に位置付けられた改良Ｐ偏光反射性コーティング３６を含む例が説明されよう。放射線１６は、改良Ｐ偏光反射性コーティング３６に対して、コーティング入射角度θｃで接触する。このコーティング入射角度θｃは、第１の面２４に対する入射角度θｂが、ガラス‐空気界面のブルースター角となるように選択されてもよい。言い換えれば、コーティング入射角度θｃは、入射角度θｂが３３°となるように選択されてもよい。この場合、Ｐ偏光放射線は、第４の面３２おいて、改良Ｐ偏光反射性コーティング３６から使用者の眼２０に反射するが、全てのＰ偏光放射線がブルースター角で屈折することから、第１の面２４から使用者の眼２０に反射することはない。偏光フィルタ１８が、積層体１２に到達する前の略全てのＳ偏光放射線をフィルタリングするように使用されている場合は、（図６に示すように）第４の面３２において改良Ｐ偏光反射性コーティング３６から反射されるＰ偏光放射線のみが使用者の眼２０に到達することから、ゴースト発生が軽減、又は取り除かれる。放射線１６が、空気‐ガラス界面界面のブルースター角（５７°）で第４の面３２に接触し且つガラス‐改良Ｐ偏光反射性コーティング３６界面のブルースター角でない角度で第１の面２４に接触するように、改良Ｐ偏光反射性コーティング３６が第１の面２４上に位置付けられてもよく、放射線１６が積層体１２に向けられてもよいことが理解されよう。
試験構成
【０１１１】
図７を参照すると、放射線源１４からの放射線１６が、積層体１２の法線に対して６０°の角度で積層体１２に接触する試験装置８６が示されている。試験装置８６では、放射線源１４は、そこから放射される放射線１６が、積層体１２の法線に対して６０°の入射角度で積層体１２に接触するように位置付けられる。積層体１２及び反射した放射線１６の特性（参照積層値）が、試験装置８６から測定されてもよい。
【０１１２】
試験装置８６を使用することで、上記の第１の層２２と、第２の層２８と、中間レイヤ３４と、改良Ｐ偏光反射性コーティング３６とを含む積層体１２は、自動車産業規格に従って測定された、標準光源Ａを用いた少なくとも７０％の視感透過率（ＬＴＡ）を示してもよい。試験装置８６を使用することで、上記の第１の層２２と、第２の層２８と、中間レイヤ３４と、改良Ｐ偏光反射性コーティング３６とを含む積層体１２は、Ｄ６５光源及び１０°検知器を用いた少なくとも１０％のＰ偏光放射線の反射率を示してもよい。試験装置８６を使用することで、上記の第１の層２２と、第２の層２８と、中間レイヤ３４と、改良Ｐ偏光反射性コーティング３６とを含む積層体１２は、６０％まで、例えば５５％まで又は５２％までの合計反射率を有してもよい。
例
【０１１３】
本発明の一般原則を明示するために、以下の例を示す。本発明は、ここに示す特定の例に限定されるものとして理解されるべきではない。
【０１１４】
以下の例では、複数の比較例と並行して、本発明に係る改良Ｐ偏光反射性コーティングを示す。例及び比較例は、Ｌａｗｒｅｎｃｅ  Ｂｅｒｋｅｌｅｙ  Ｎａｔｉｏｎａｌ  Ｌａｂｏｒａｔｏｒｙ社から市販されているＯＰＴＩＣＳ（ｖ．６．０）ソフトウェア及びＷＩＮＤＯＷ（ｖ７．３．４．０）ソフトウェア又はＪ．  Ａ．  Ｗｏｏｌｌａｍ社から市販されているＷＶＡＳＥソフトウェアといった、市販のソフトウェアを用いて再現可能なコンピュータモデルサンプルである。改良Ｐ偏光反射性コーティングはモデル化され、積層体の表面上にコーティングを施した状態で値が計算された。積層体は、０．７６ｍｍのポリビニルブチラール（ＰＶＢ）の中間レイヤを介した２層の２ｍｍの透明ガラスを含むようにモデル化された。コーティングは、上述したように、積層体の第３の面の少なくとも一部の上に施された。
【０１１５】
表１は、モデル化されたコーティングにおける様々なレイヤの厚さを示す（オングストローム単位）。表１には、対応する角金属機能レイヤの上部上に直接モデル化された犠牲金属レイヤの厚さは示されていない。各犠牲金属レイヤの厚さの範囲は１０〜５０オングストロームであったが、任意の適切な厚さを選択することが可能であった。
【０１１６】
【表１】
2020532763.tif 000005
【０１１７】
比較例１はコーティングされていない積層体である。比較例２及び３は市販のコーティングである。例１〜７は、本発明の、積層体に施される、改良されたＰ偏光放射線反射性を有するように最適化された三重金属機能レイヤ改良Ｐ反射性反射性コーティングである。例８〜１３は、本発明の、積層体に施される、改良されたＰ偏光放射線反射性を有するように最適化された二重金属機能レイヤ改良Ｐ偏光反射性コーティングである。
【０１１８】
表１によれば、三重金属機能レイヤ改良Ｐ偏光反射性コーティングでは、ベースレイヤは基板上に直接的に設けられ、且つ基板上に直接的に設けられた第１膜と、第１膜上に直接的に設けられた第２膜とを含んでいた。第１膜はスズ酸亜鉛（Ｚｎ２ＳｎＯ４）レイヤを含んでいた。第２膜は（１０ｗｔ．％までの酸化スズを含んだ）酸化亜鉛レイヤを含んでいた。第１金属機能レイヤは、ベースレイヤ上に直接的に設けられた金属銀レイヤであった。第１犠牲金属レイヤは、第１金属機能レイヤ上に直接的に設けられたチタン（ＴｉＯｘ）レイヤであった。上述したように、犠牲金属レイヤは金属チタンとして蒸着され、続いて、レイヤの全て又は一部が後続の処理工程において酸化した。第１位相調節レイヤは第１犠牲金属レイヤ上に直接的に設けられ、第１膜と、第２膜と、第３膜とを含んでいた。第１膜は第１犠牲金属レイヤ上に直接的に設けられ、（１０ｗｔ．％までの酸化スズを含んだ）酸化亜鉛レイヤを含んでいた。第２膜は第１膜上に直接的に設けられ、スズ酸亜鉛レイヤを含んでいた。第３膜は第２膜上に直接的に設けられ、（１０重量％までの酸化スズを含んだ）酸化亜鉛レイヤを含んでいた。第２金属機能レイヤは、第１位相調節レイヤ上に直接的に設けられた金属銀レイヤであった。第２犠牲金属レイヤは、第２金属機能レイヤ上に直接的に設けられたチタン（ＴｉＯｘ）レイヤであった（第１犠牲金属レイヤと同様）。第２位相調節レイヤは第２犠牲金属レイヤ上に直接的に設けられ、第１膜と、第２膜と、第３膜とを含んでいた。第１膜は第２犠牲金属レイヤ上に直接的に設けられ、（１０ｗｔ．％までの酸化スズを含んだ）酸化亜鉛レイヤを含んでいた。第２膜は第１膜上に直接的に設けられ、スズ酸亜鉛レイヤを含んでいた。第３膜は第２膜上に直接的に設けられ、（１０ｗｔ．％までの酸化スズを含んだ）酸化亜鉛レイヤを含んでいた。第３金属機能レイヤは、第２位相調節レイヤ上に直接的に設けられた金属銀レイヤであった。第３犠牲金属レイヤは、第３金属機能レイヤ上に直接的に設けられたチタン（ＴｉＯｘ）レイヤであった（第１及び第２犠牲金属レイヤと同様）。トップコートレイヤは第３犠牲金属レイヤ上に直接的に設けられ、第１膜と第２膜とを含んでいた。第１膜は第３犠牲金属レイヤ上に直接的に設けられ、（１０ｗｔ．％までの酸化スズを含んだ）酸化亜鉛レイヤを含んでいた。第２膜は第１膜上に直接的に設けられ、スズ酸亜鉛レイヤを含んでいた。オーバーコートはトップコートレイヤ上に直接的に設けられ、８５％のＳｉＯ２と１５％のＡｌ２Ｏ３とを有したシリカ・アルミナ組み合わせコーティングを含んでいた。
【０１１９】
表１によれば、二重金属機能レイヤ改良Ｐ偏光反射性コーティングについて、ベースレイヤは基板上に直接的に設けられ、且つ基板上に直接的に設けられた第１膜と、第１膜上に直接的に設けられた第２膜とを含んでいた。第１膜はスズ酸亜鉛（Ｚｎ２ＳｎＯ４）レイヤを含んでいた。第２膜は（１０ｗｔ．％までの酸化スズを含んだ）酸化亜鉛レイヤを含んでいた。第１金属機能レイヤは、ベースレイヤ上に直接的に設けられた金属銀レイヤであった。第１犠牲金属レイヤは、第１金属機能レイヤ上に直接的に設けられたチタン（ＴｉＯｘ）レイヤであった。上述したように、犠牲金属レイヤは金属チタンとして蒸着され、続いて、レイヤの全て又は一部が後続の処理工程において酸化した。第１位相調節レイヤは第１犠牲金属レイヤ上に直接的に設けられ、第１膜と、第２膜と、第３膜とを含んでいた。第１膜は第１犠牲金属レイヤ上に直接的に設けられ、（１０ｗｔ．％までの酸化スズを含んだ）酸化亜鉛レイヤを含んでいた。第２膜は第１膜上に直接的に設けられ、スズ酸亜鉛レイヤを含んでいた。第３膜は第２膜上に直接的に設けられ、（１０ｗｔ．％までの酸化スズを含んだ）酸化亜鉛レイヤを含んでいた。第２金属機能レイヤは、第１位相調節レイヤ上に直接的に設けられた金属銀レイヤであった。第２犠牲金属レイヤは、第２金属機能レイヤ上に直接的に設けられたチタン（ＴｉＯｘ）レイヤであった（第１犠牲金属レイヤと同様）。トップコートレイヤは第２犠牲金属レイヤ上に直接的に設けられ、第１膜と第２膜とを含んでいた。第１膜は第２犠牲金属レイヤ上に直接的に設けられ、（１０ｗｔ．％までの酸化スズを含んだ）酸化亜鉛レイヤを含んでいた。第２膜は第１膜上に直接的に設けられ、スズ酸亜鉛レイヤを含んでいた。オーバーコートはトップコートレイヤ上に直接的に設けられ、８５％のＳｉＯ２と１５％のＡｌ２Ｏ３とを有したシリカ・アルミナ組み合わせコーティングを含んでいた。
【０１２０】
表２は、上記のソフトウェアを用いて再現可能な関連特質の計算結果を示す。
【０１２１】
表２では、「Ｐ−Ｒｆ６０−Ｙ」は、ＣＩＥ１９６４の１０°補助標準観測者に従って、膜側（外側）からＤ６５光源及び１０°検知器を用いた、Ｐ偏光放射線の反射率を意味する。「Ｐ−Ｒｇ６０−Ｙ」は、ＣＩＥ１９６４の１０°補助標準観測者に従って、ガラス側（内側）からＤ６５光源及び１０°検知器を用いた、Ｐ偏光放射線の反射率を意味する。「ＬＴＡ」は、標準光源Ａを用いた視感透過率（ＬＴＡ）を意味する。「ＲｆＬ＊」、「Ｒｆａ＊」及び「Ｒｆａ＊」は、Ｌ＊、ａ＊及びｂ＊の明度についての膜側からの反射率である。１９７６ＣＩＥＬＡＢ色システムに基づくＬ＊、ａ＊及びｂ＊は、国際照明委員会によって規定されている。Ｌ＊、ａ＊及びｂ＊の値は色中心点値を示す。「Ｔｓｏｌ」は、積層体の太陽光透過率を意味する。「ＲｆＳｏｌ」は、積層体の、膜側からの太陽光反射率を意味する。
【０１２２】
【表２】
2020532763.tif 000006
【０１２３】
発明された積層体は、少なくとも７０％のＬＴＡを維持しながら、Ｐ偏光放射線の反射率が少なくとも１０％になるように改良されたＰ偏光放射線反射性を示す。
【０１２４】
本発明は、番号が付けられた以下の項において更に説明される。
【０１２５】
第１項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも１０％のＰ偏光放射線の反射率を示す、積層体。
【０１２６】
第２項：改良Ｐ偏光反射性コーティングが複数のレイヤを備える、第１項に記載の積層体。
【０１２７】
第３項：改良Ｐ偏光反射性コーティングが、第２の面又は第３の面の少なくとも一部上に位置付けられる、第１項又は第２項に記載の積層体。
【０１２８】
第４項：改良Ｐ偏光反射性コーティングが、面の少なくとも１つの一部上に位置付けられるベースレイヤと、ベースレイヤの少なくとも一部上に位置付けられる第１金属機能レイヤと、第１金属機能レイヤの少なくとも一部上に位置付けられる任意の第１犠牲金属レイヤと、第１犠牲金属レイヤの少なくとも一部上に位置付けられる第１位相調節レイヤと、第１位相調節レイヤの少なくとも一部上に位置付けられる第２金属機能レイヤと、第２金属機能レイヤの少なくとも一部上に位置付けられる第２犠牲金属レイヤと、第２犠牲金属レイヤの少なくとも一部上に位置付けられるトップコートレイヤと、トップコートレイヤの少なくとも一部上に位置付けられるオーバーコートとを備える、第２項又は第３項に記載の積層体。
【０１２９】
第５項：改良Ｐ偏光反射性コーティングが、第２犠牲金属レイヤの少なくとも一部上に位置付けられる第２位相調節レイヤと、第２位相調節レイヤの少なくとも一部上に位置付けられる第３金属機能レイヤと、第３金属機能レイヤの少なくとも一部上に位置付けられる第３犠牲金属レイヤと、第３犠牲金属レイヤの少なくとも一部上に位置付けられるトップコートレイヤと、トップコートレイヤの少なくとも一部上に位置付けられるオーバーコートとを更に備える、第４項に記載の積層体。
【０１３０】
第６項：ベースレイヤが、金属合金酸化膜を備える第１膜と、ベースレイヤの第１膜上に位置付けられ、酸化物混合膜を備える、ベースレイヤの第２膜とを備える、第４項又は第５項に記載の積層体。
【０１３１】
第７項：ベースレイヤの第１膜が、酸化亜鉛／スズ合金、好適にはスズ酸亜鉛を備える、第６項に記載の積層体。
【０１３２】
第８項：ベースレイヤの第２膜が、酸化金属膜、好適には酸化亜鉛を備える、第６項又は第７項に記載の積層体。
【０１３３】
第９項：第１位相調節レイヤ及び／又は第２位相調節レイヤが、酸化金属膜を備える第１膜と、第１位相調節レイヤ及び／又は第２位相調節レイヤの第１膜上に位置付けられる第２膜であって、金属合金酸化膜を備える、第１位相調節レイヤ及び／又は第２位相調節レイヤの第２膜と、第１位相調節レイヤ及び／又は第２位相調節レイヤの第２膜上に位置付けられる第３膜であって、酸化金属膜を備える、第１位相調節レイヤ及び／又は第２位相調節レイヤの第３膜とを備える、第４項〜第８項のいずれか一項に記載の積層体。
【０１３４】
第１０項：第１位相調節レイヤ及び／若しくは第２位相調節レイヤの第１膜並びに／又は第１位相調節レイヤ及び／若しくは第２位相調節レイヤの第３膜が、酸化金属膜、好適には酸化亜鉛を備える、第９項に記載の積層体。
【０１３５】
第１１項：第１位相調節レイヤ及び／又は第２位相調節レイヤの第２膜が、酸化亜鉛／スズ合金、好適にはスズ酸亜鉛を備える、第９項又は第１０項に記載の積層体。
【０１３６】
第１２項：第１金属機能レイヤ、第２金属機能レイヤ、及び／又は第３金属機能レイヤが、少なくとも１つの貴金属又は準貴金属、特に、銀、金、白金、パラジウム、オスミウム、イリジウム、ロジウム、ルテニウム、銅、水銀、レニウム、アルミニウム、及びそれらの組み合わせから選択されるもの、より好適には金属銀を備える、第４項〜第１１項のいずれか一項に記載の積層体。
【０１３７】
第１３項：第１金属機能レイヤ、第２金属機能レイヤ及び／又は第３金属機能レイヤが金属銀を備える、第４項〜第１２項のいずれか一項に記載の積層体。
【０１３８】
第１４項：第１犠牲金属レイヤ、第２犠牲金属レイヤ及び／又は第３犠牲金属レイヤが、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン及びそれらの組み合わせの少なくとも１つ、好適にはチタンを備える、第４項〜第１３項のいずれか一項に記載の積層体。
【０１３９】
第１５項：第１犠牲金属レイヤ、第２犠牲金属レイヤ及び／又は第３犠牲金属レイヤが、１０〜５０オングストローム、好適には２０〜４０オングストローム、より好適には２５〜３５オングストロームの範囲内の厚さを有する、第４項〜第１４項のいずれか一項に記載の積層体。
【０１４０】
第１６項：トップコートレイヤが、酸化金属膜を備える第１膜と、トップコートレイヤの第１膜上に位置付けられる第２膜であって、金属合金酸化膜を備える、トップコートレイヤの第２膜とを備える、第４項〜第１５項のいずれか一項に記載の積層体。
【０１４１】
第１７項：トップコートレイヤの第２膜が、酸化亜鉛／スズ合金、好適にはスズ酸亜鉛を備える、第１６項に記載の積層体。
【０１４２】
第１８項：トップコートレイヤの第１膜が、酸化金属膜、好適には酸化亜鉛を備える、第１６項又は第１７項に記載の積層体。
【０１４３】
第１９項：オーバーコートがシリカ・アルミナ組み合わせコーティングを備える、第４項〜第１８項のいずれか一項に記載の積層体。
【０１４４】
第２０項：第１の面又は第４の面の少なくとも一部上に位置付けられる反射防止コーティングを更に備える、第２項〜第１９項のいずれか一項に記載の積層体。
【０１４５】
第２１項：反射防止コーティングが、第１金属合金酸化物レイヤ（第１レイヤ）と、第２酸化金属レイヤ（第２レイヤ）と、第３金属合金酸化物レイヤ（第３レイヤ）と、金属酸化物上部レイヤ（第４レイヤ）とを有する複数レイヤコーティングを備える、第２０項に記載の積層体。
【０１４６】
第２２項：改良Ｐ偏光反射性コーティングが、第１の面又は第４の面の少なくとも一部上に位置付けられる、第１項〜第２１項のいずれか一項に記載の積層体。
【０１４７】
第２３項：第１の層及び第２の層が、互いに対して非平行である、第１項〜第２２項のいずれか一項に記載の積層体。
【０１４８】
第２４項：中間レイヤが、楔形状の中間レイヤを備える、第１項〜第２３項のいずれか一項に記載の積層体。
【０１４９】
第２５項：中間レイヤが、均一な厚さのコーティングレイヤを備える、第１項〜第２４項のいずれか一項に記載の積層体。
【０１５０】
第２６項：中間レイヤが、ポリビニルブチラール（ＰＶＢ）を備える、第１項〜第２５項のいずれか一項に記載の積層体。
【０１５１】
第２７項：積層体が、積層体の法線に対して６０°の角度で放射線源からの放射線と接触する場合に、６０％まで、好適には５５％まで、より好適には５２％までの合計反射率を示す、第１項〜第２６項のいずれか一項に記載の積層体。
【０１５２】
第２８項：積層体が、自動車用の積層体を備える、第１項〜第２７項のいずれか一項に記載の積層体。
【０１５３】
第２９項：画像を投影するディスプレイシステムであって、改良されたＰ偏光放射線反射性を有する積層体であって、積層体の外面を備える第１の面及び第１の面に対向する第２の面を備える第１の層、第２の面に隣接する第３の面及び第３の面に対向し且つ積層体の内面を備える第４の面を備える第２の層、第１の層と第２の層との間に位置付けられる中間レイヤ、並びに第１の層及び／又は第２の層の面の少なくとも１つにおける少なくとも一部上に位置付けられる改良Ｐ偏光反射性コーティングを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも１０％のＰ偏光放射線の反射率を示す積層体と、Ｐ偏光放射線を備える放射線を放射する、積層体に向けられた放射線源とを備える、ディスプレイシステム。
【０１５４】
第３０項：光源と積層体との間に位置付けられ、Ｐ偏光放射線の少なくとも一部を通過させるように構成される偏光フィルタを更に備える、第２９項に記載のシステム。
【０１５５】
第３１項：偏光フィルタが、放射線源から放射されるＳ偏光放射線の少なくとも一部をフィルタリングする、第３０項に記載のシステム。
【０１５６】
第３２項：偏光フィルタが、放射線源から放射されるＳ偏光放射線の略全てをフィルタリングする、第３１項に記載のシステム。
【０１５７】
第３３項：放射線源が、積層体に向けられた放射線を放射する場合、画像が積層体の内側の領域に投影される、第２９項〜第３２項のいずれか一項に記載のシステム。
【０１５８】
第３４項：画像が、静的画像又は動的画像の少なくとも１つである、第３３項に記載のシステム。
【０１５９】
第３５項：画像が色を備える、第３３項又は第３４項に記載のシステム。
【０１６０】
第３６項：画像が、ヘッドアップディスプレイ内の画像を備える、第２９項〜第３５項のいずれか一項に記載のシステム。
【０１６１】
第３７項：積層体が、自動車用の積層体を備える、第２９項〜第３６項のいずれか一項に記載のシステム。
【０１６２】
第３８項：改良Ｐ偏光反射性コーティングが、第２の面又は第３の面の少なくとも一部上に位置付けられる、第２９項〜第３７項のいずれか一項に記載のシステム。
【０１６３】
第３９項：改良Ｐ偏光反射性コーティングが、第１の面又は第４の面の少なくとも一部上に位置付けられる、第３８項に記載のシステム。
【０１６４】
第４０項：放射線が、第１の面‐空気界面のブルースター角に略等しい角度で第１の面に接触するように、改良Ｐ偏光反射性コーティングが、第４の面の少なくとも一部上に位置付けられ、積層体に向けられた放射線源が、積層体に対して角度をもって位置付けられるか、又は、放射線が、空気‐第４の面界面のブルースター角に略等しい角度で第４の面に接触するように、改良Ｐ偏光反射性コーティングが、第１の面の少なくとも一部上に位置付けられ、積層体に向けられた放射線源が、積層体に対して角度をもって位置付けられる、第３９項に記載のシステム。
【０１６５】
第４１項：改良Ｐ偏光反射性コーティングが、面の少なくとも１つの一部上に位置付けられるベースレイヤと、ベースレイヤの少なくとも一部上に位置付けられる第１金属機能レイヤと、第１金属機能レイヤの少なくとも一部上に位置付けられる任意の第１犠牲金属レイヤと、第１犠牲金属レイヤの少なくとも一部上に位置付けられる第１位相調節レイヤと、第１位相調節レイヤの少なくとも一部上に位置付けられる第２金属機能レイヤと、第２金属機能レイヤの少なくとも一部上に位置付けられる第２犠牲金属レイヤと、第２犠牲金属レイヤの少なくとも一部上に位置付けられるトップコートレイヤと、トップコートレイヤの少なくとも一部上に位置付けられるオーバーコートとを備える、第２９項〜第４０項のいずれか一項に記載のシステム。
【０１６６】
第４２項：改良Ｐ偏光反射性コーティングが、第２犠牲金属レイヤの少なくとも一部上に位置付けられる第２位相調節レイヤと、第２位相調節レイヤの少なくとも一部上に位置付けられる第３金属機能レイヤと、第３金属機能レイヤの少なくとも一部上に位置付けられる第３犠牲金属レイヤと、第３犠牲金属レイヤの少なくとも一部上に位置付けられるトップコートレイヤと、トップコートレイヤの少なくとも一部上に位置付けられるオーバーコートとを更に備える、第４１項に記載のシステム。
【０１６７】
第４３項：ベースレイヤが、金属合金酸化膜を備える第１膜と、ベースレイヤの第１膜上に位置付けられ、酸化物混合膜を備える、ベースレイヤの第２膜とを備える、第４１項又は第４２項に記載のシステム。
【０１６８】
第４４項：ベースレイヤの第１膜が、酸化亜鉛／スズ合金、好適にはスズ酸亜鉛を備える、第４３項に記載のシステム。
【０１６９】
第４５項：ベースレイヤの第２膜が、酸化金属膜、好適には酸化亜鉛を備える、第４３項又は第４４項に記載の積層体。
【０１７０】
第４６項：第１位相調節レイヤ及び／又は第２位相調節レイヤが、酸化金属膜を備える第１膜と、第１位相調節レイヤ及び／又は第２位相調節レイヤの第１膜上に位置付けられる第２膜であって、金属合金酸化膜を備える、第１位相調節レイヤ及び／又は第２位相調節レイヤの第２膜と、第１位相調節レイヤ及び／又は第２位相調節レイヤの第２膜上に位置付けられる第３膜であって、酸化金属膜を備える、第１位相調節レイヤ及び／又は第２位相調節レイヤの第３膜とを備える、第４１項〜第４５項のいずれか一項に記載のシステム。
【０１７１】
第４７項：第１位相調節レイヤ及び／若しくは第２位相調節レイヤの第１膜並びに／又は第１位相調節レイヤ及び／若しくは第２位相調節レイヤの第３膜が、酸化金属膜、好適には酸化亜鉛を備える、第４６項に記載のシステム。
【０１７２】
第４８項：第１位相調節レイヤ及び／又は第２位相調節レイヤの第２膜が、酸化亜鉛／スズ合金、好適にはスズ酸亜鉛を備える、第４６項又は第４７項に記載のシステム。
【０１７３】
第４９項：第１金属機能レイヤ、第２金属機能レイヤ、及び／又は第３金属機能レイヤが、少なくとも１つの貴金属又は準貴金属、特に、銀、金、白金、パラジウム、オスミウム、イリジウム、ロジウム、ルテニウム、銅、水銀、レニウム、アルミニウム、及びそれらの組み合わせから選択されるもの、より好適には金属銀を備える、第４１項〜第４８項のいずれか一項に記載のシステム。
【０１７４】
第５０項：第１金属機能レイヤ、第２金属機能レイヤ及び／又は第３金属機能レイヤが金属銀を備える、第４１項〜第４９項のいずれか一項に記載のシステム。
【０１７５】
第５１項：第１犠牲金属レイヤ、第２犠牲金属レイヤ及び／又は第３犠牲金属レイヤが、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン及びそれらの組み合わせの少なくとも１つ、好適にはチタンを備える、第４１項〜第５０項のいずれか一項に記載のシステム。
【０１７６】
第５２項：第１犠牲金属レイヤ、第２犠牲金属レイヤ及び／又は第３犠牲金属レイヤが、１０〜５０オングストローム、好適には２０〜４０オングストローム、より好適には２５〜３５オングストロームの範囲内の厚さを有する、第４１項〜第５１項のいずれか一項に記載のシステム。
【０１７７】
第５３項：トップコートレイヤが、酸化金属膜を備える第１膜と、トップコートレイヤの第１膜上に位置付けられる第２膜であって、金属合金酸化膜を備えるトップコートレイヤの第２膜とを備える、第４１項〜第５２項のいずれか一項に記載のシステム。
【０１７８】
第５４項：トップコートレイヤの第２膜が、酸化亜鉛／スズ合金、好適にはスズ酸亜鉛を備える、第５３項に記載のシステム。
【０１７９】
第５５項：トップコートレイヤの第１膜が、酸化金属膜、好適には酸化亜鉛を備える、第５３項又は第５４項に記載のシステム。
【０１８０】
第５６項：オーバーコートがシリカ・アルミナ組み合わせコーティングを備える、第４１項〜第５５項のいずれか一項に記載のシステム。
【０１８１】
第５７項：第１の面又は第４の面の少なくとも一部上に位置付けられる反射防止コーティングを更に備える、第２９項〜第５６項のいずれか一項に記載のシステム。
【０１８２】
第５８項：反射防止コーティングが、第１金属合金酸化物レイヤ（第１レイヤ）と、第２酸化金属レイヤ（第２レイヤ）と、第３金属合金酸化物レイヤ（第３レイヤ）と、金属酸化物上部レイヤ（第４レイヤ）とを有する複数レイヤコーティングを備える、第５７項に記載のシステム。
【０１８３】
第５９項：改良Ｐ偏光反射性コーティングが、第１の面又は第４の面の少なくとも一部上に位置付けられる、第２９項〜第５８項のいずれか一項に記載のシステム。
【０１８４】
第６０項：第１の層及び第２の層が、互いに対して非平行である、第２９項〜第５９項のいずれか一項に記載のシステム。
【０１８５】
第６１項：中間レイヤが、楔形状の中間レイヤを備える、第２９項〜第６０項のいずれか一項に記載のシステム。
【０１８６】
第６２項：中間レイヤが、均一な厚さのコーティングレイヤを備える、第２９項〜第６１項のいずれか一項に記載のシステム。
【０１８７】
第６３項：中間レイヤが、ポリビニルブチラール（ＰＶＢ）を備える、第２９項〜第６２項のいずれか一項に記載のシステム。
【０１８８】
第６４項：積層体が、積層体の法線に対して６０°の角度で放射線源からの放射線と接触する場合に、６０％まで、好適には５５％まで、より好適には５２％までの合計反射率を示す、第２９項〜第６３項のいずれか一項に記載のシステム。
【０１８９】
第６５項：積層体が、自動車用の積層体を備える、第２９項〜第６４項のいずれか一項に記載のシステム。
【０１９０】
第６６項：ヘッドアップディスプレイ内の画像を投影する方法であって、改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも１０％のＰ偏光放射線の反射率を示す積層体を提供することと、積層体の内側の領域に画像が投影されるように、Ｐ偏光放射線を備える放射線を放射する放射線源を積層体に向けることとを含む、方法。
【０１９１】
第６７項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも５％のＰ偏光放射線の反射率を示す、積層体。
【０１９２】
第６８項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも５％のＰ偏光放射線の反射率を示し、−２〜２の範囲内のＲｆａ＊及び−２〜２の範囲内のＲｆｂ＊を有する、積層体。
【０１９３】
第６９項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも５％のＰ偏光放射線の反射率を示し、−２〜２の範囲内のＲｆａ＊を有する、積層体。
【０１９４】
第７０項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも５％のＰ偏光放射線の反射率を示し、−２〜２の範囲内のＲｆｂ＊を有する、積層体。
【０１９５】
第７１項：改良されたＰ偏光放射線反射性を有する積層体であって、積層体の外面を備える第１の面及び第１の面に対向する第２の面を備える第１の層と、第２の面に隣接する第３の面及び第３の面に対向し且つ積層体の内面を備える第４の面を備える第２の層と、第１の層と第２の層との間に位置付けられる中間レイヤと、第１の層及び／又は第２の層の面の少なくとも１つにおける少なくとも一部上に位置付けられる改良Ｐ偏光反射性コーティングとを備え、積層体が、積層体の法線に対して６０°の角度で、Ｐ偏光放射線を備える、放射線源からの放射線と接触する場合に、標準光源Ａを用いた値で少なくとも７０％の視感透過率（ＬＴＡ）及び、少なくとも５％のＰ偏光放射線の反射率を示し、１５％以下の外部反射率を有する、積層体。
【０１９６】
本発明は、最も実用的且つ好適な実施例として現在考えられているものに基づく例示を目的として詳細に説明されてきたが、こうした詳細は単にこの目的のためのものであり、本発明は、開示された実施例に限定されていないことが理解されるべきである一方で、付随するクレームの精神及び範囲から逸脱しない変形例及び均等な構成を対象とするようになっている。例えば本発明では、任意の実施例の１つ以上の特徴を、任意の他の実施例の１つ以上の特徴と組み合わせることができることを可能な限り検討されることが理解されよう。
【図１】
2020532763.tif 000007
【図２Ａ】
2020532763.tif 000008
【図２Ｂ】
2020532763.tif 000009
【図２Ｃ】
2020532763.tif 000010
【図２Ｄ】
2020532763.tif 000011
【図２Ｅ】
2020532763.tif 000012
【図２Ｆ】
2020532763.tif 000013
【図３Ａ】
2020532763.tif 000014
【図３Ｂ】
2020532763.tif 000015
【図４Ａ】
2020532763.tif 000016
【図４Ｂ】
2020532763.tif 000017
【図５Ａ】
2020532763.tif 000018
【図５Ｂ】
2020532763.tif 000019
【図６】
2020532763.tif 000020
【図７】
2020532763.tif 000021
【国際調査報告】
2020532763.tif 000022
2020532763.tif 000023
2020532763.tif 000024